(57)【要約】【課題】視聴中の番組の視聴不可時に、番組の視聴中断時間を短くできるデジタル放送受信装置を提供する。【解決手段】視聴中のデジタル放送番組の放送局からの受信信号から得られる各種情報に基づき、その放送局の受信が現状不可状態になったことを検出して受信不可通知を出力する受信不可検出部（６）と、視聴中の番組のチャンネル情報とその放送局の系列局のチャンネル情報を記憶する系列局記憶部（８）と、受信不可検出部（６）から受信不可通知を受信した場合に、系列局記憶部（８）から系列局のチャンネル情報を検索して現状受信可状態の場合にその系列局の番組を視聴させ、系列局記憶部（８）に系列局が記憶されていない場合には、系列局をチャンネルサーチするように指示を出力する選局制御部（７）を備える。【選択図】図１
2008263504.tif 000002
【特許請求の範囲】
【請求項１】
視聴中のデジタル放送番組の放送局からの受信信号から得られる情報に基づき、該視聴中の番組の放送局からの受信信号を受信することが現状で不可能な状態（以下、「現状受信不可状態」と言う）になったことを検出して受信不可通知を出力する受信不可検出部と、
前記視聴中の番組の放送局の少なくともチャンネル情報を記憶すると共に、前記視聴中の番組の放送局と同系列である系列放送局がチャンネルサーチで検出された場合に、その系列放送局の少なくともチャンネル情報を前記視聴中の番組の放送局の少なくともチャンネル情報と系列関係があるものとして関連付けて記憶する系列局記憶部と、
前記受信不可検出部から受信不可通知を受信した場合に、前記系列局記憶部から前記系列放送局のチャンネル情報を検索し、
現在位置で受信できる可能性のある系列放送局が記憶されていた場合には、該系列放送局のチャンネル情報に基づく受信信号が現状で受信可能な状態（以下、「現状受信可状態」と言う）か否かを判断し、「現状受信可状態」の場合に前記系列放送局の番組を視聴させ、
前記現在位置で受信できる可能性のある系列放送局が記憶されていない場合には、系列放送局をチャンネルサーチするように指示を出力する選局制御部
を備えることを特徴とするデジタル放送受信装置。
【請求項２】
デジタル放送番組の受信信号を受信して選局し、復調し、誤り訂正し、選局された番組の受信信号のトランスポートストリーム（以下、「ＴＳ」と言う）を出力するチューナ・復調部と、
前記ＴＳから映像／音声ストリームを分離抽出して出力し、前記ＴＳから番組特定情報(ＰＳＩ)及び番組配列情報(ＳＩ)を抽出するデマルチプレクス部と、
前記映像／音声ストリームから映像の復号及び音声の復号を行い、復号された映像信号及び音声信号を出力する映像／音声デコード部をさらに備える
ことを特徴とする請求項１に記載のデジタル放送受信装置。
【請求項３】
前記チューナ・復調部は、選局された番組の受信信号の受信レベル情報、受信Ｃ／Ｎ比情報、ＰＬＬロック情報、フレームロック情報、及び誤り率情報の各種情報の少なくとも一つを出力し、
前記デマルチプレクス部は、番組アソシエーション・テーブル(ＰＡＴ)断絶情報、番組対応テーブル(ＰＭＴ)断絶情報、ＴＳ同期はずれ情報、及びＴＳパケット損失情報の各種情報の少なくとも一つを出力し、
前記映像／音声デコード部は、デコードエラー検出情報、及びデコードエラー率情報の各種情報の少なくとも一つを出力し、
前記受信不可検出部は、前記チューナ・復調部、前記デマルチプレクス部及び前記映像／音声でコード部から出力される前記各種情報の少なくとも一つに基づいて前記番組の受信信号が「現状受信不可状態」であるか否かの判定を行う
ことを特徴とする請求項２に記載のデジタル放送受信装置。
【請求項４】
前記系列放送局のチャンネルサーチにおいては、放送局を順次選局し、選局された放送局からの信号から検出された番組配列情報(ＳＩ)のブロードキャスター・インフォーメーション・テーブル（ＢＩＴ）セクションにおける系列事業者識別（affiliation_id）のフィールド値が同一であるか否かに基づいて系列放送局かどうかの判定を行うことを特徴とする請求項１に記載のデジタル放送受信装置。
【請求項５】
前記系列局記憶部は、更に前記視聴中の番組の放送局の番組特定情報(ＰＳＩ)及び番組配列情報(ＳＩ)に含まれる情報とその系列放送局の番組特定情報(ＰＳＩ)及び番組配列情報(ＳＩ)に含まれる情報を記憶し、
前記選局制御部は、
前記受信不可検出部から前記受信不可通知を受信した場合に、前記系列局記憶部から前記系列放送局のチャンネル情報及び番組特定情報及び番組配列情報を検索し、
前記現在位置で受信できる可能性のある系列放送局が記憶されていた場合には、該系列放送局のチャンネル情報に基づく受信信号が「現状受信可状態」か否か、及び、前記番組特定情報及び番組配列情報に基づいて前記視聴中の番組と前記系列放送局の番組が同一であるか否かを判断し、「現状受信可状態」で番組が同一の場合に前記系列放送局の番組を視聴させ、
前記現在位置で受信できる可能性のある系列放送局が記憶されていない場合、又は前記系列放送局のチャンネル情報に基づく受信は可能であるが前記系列放送局の番組が同一ではない場合には、系列放送局をチャンネルサーチするように指示を出力する
ことを特徴とする請求項１、請求項２又は請求項３に記載のデジタル放送受信装置。
【請求項６】
前記選局制御部は、
前記視聴中の番組の受信信号と前記系列放送局の番組の受信信号から得られる番組配列情報(ＳＩ)のブロードキャスター・インフォーメーション・テーブル（ＢＩＴ）セクションにおけるaffiliation_idのフィールド値が同一であるか否かに基づいて、前記視聴中の番組と前記系列放送局の番組が同一であるか否かの判断を行う
ことを特徴とする請求項１、請求項２、又は請求項３に記載のデジタル放送受信装置。
【請求項７】
前記選局制御部は、
前記視聴中の番組と前記系列放送局の受信信号の前記番組配列情報(ＳＩ)のイベント・インフォメーション・テーブル（ＥＩＴ）の番組名（event_name_char）のフィールド値、番組記述（text_char）のフィールド値に基づいて、前記視聴中の番組と前記系列放送局の番組が同一であるか否かの判断を行う
ことを特徴とする請求項５に記載のデジタル放送受信装置。
【請求項８】
前記チューナ・復調部が、強階層及び弱階層で伝送される番組を受信している場合に、
前記選局制御部は、
最初は、前記デマルチプレクス部に、前記弱階層で伝送された受信信号を出力させ、前記映像／音声デコード部に、前記弱階層で伝送された受信信号を復号させ、
前記受信不可検出部から前記受信不可通知を受信した場合には、前記映像／音声デコード部に対して、前記強階層で伝送された受信信号に切替える切替指示を出力して、前記強階層で伝送された受信信号が「現状受信可状態」か否かを判断し、
前記強階層で伝送された受信信号が「現状受信可状態」の場合には、
前記デマルチプレクス部に、前記強階層で伝送された受信信号を出力させ、前記映像／音声デコード部に、前記強階層で伝送された受信信号を復号させ、
前記強階層で伝送された受信信号が「現状受信不可状態」の場合には、前記系列局記憶部からの前記系列放送局のチャンネル情報の検索、又は前記チャンネルサーチを行わせる
ことを特徴とする請求項２に記載のデジタル放送受信装置。
【請求項９】
前記弱階層から強階層への切替が、前記系列局記憶部からの前記系列放送局のチャンネル情報の検索により選局された放送局の番組の受信信号について行われる
ことを特徴とする請求項８に記載のデジタル放送受信装置。
【請求項１０】
前記弱階層から強階層への切替が、前記チャンネルサーチにより検出されて選局された放送局の番組の受信信号について行われる
ことを特徴とする請求項８に記載のデジタル放送受信装置。
【請求項１１】
前記選局制御部は、前記強階層で伝送された受信信号を受信中に、受信不可検出部から前記弱階層で伝送された受信信号が「現状受信可状態」になったことが通知された場合には、
前記デマルチプレクス部に対して、出力すべき階層を前記弱階層に切り替える切替え指示を出力し、前記映像／前記映像／音声デコード部に対して、復号すべき階層を前記弱階層に切替える切替指示を出力して、前記弱階層で伝送された番組の受信信号で前記系列放送局の番組を視聴させる
ことを特徴とする請求項８〜１０のいずれかに記載のデジタル放送受信装置。
【請求項１２】
前記選局制御部は、
前記受信不可検出部から受信不可通知を受信した場合で、前記系列局記憶部に、複数の系列放送局が記憶されている場合に、
前記放送局からの視聴中の番組の受信信号から得られるサービスＩＤの地域識別値で特定される地域の隣接地域を求め、
前記系列局記憶部に記憶された複数の系列放送局のうち、視聴中の番組の受信信号の放送局の隣接地域に配置される放送局を、近い順に選局し「現状受信可状態」か否かを判断する
ことを特徴とする請求項１〜１１の何れかに記載のデジタル放送受信装置。
【請求項１３】
デジタル放送受信装置の現在位置がデジタル放送の受信不可地域であるか否かを判断し、現在位置が受信不可地域である場合には、前記選局制御部に受信不可地域であることを送信する位置検出部をさらに備え、
前記選局制御部は、現在位置が前記受信不可地域である場合には他の系列放送局へ切換える指示或いは系列放送局をチャンネルサーチする指示を出力しない
ことを特徴とする請求項１〜１２の何れかに記載のデジタル放送受信装置。
【請求項１４】
視聴中のデジタル放送番組の放送局からの受信信号から得られる情報に基づき、該視聴中の番組の放送局からの受信信号を受信することが現状で不可能な状態（以下、「現状受信不可状態」と言う）になったことを検出して受信不可通知を出力する受信不可検出ステップと、
前記視聴中の番組の放送局の少なくともチャンネル情報を記憶すると共に、前記視聴中の番組の放送局と同系列である系列放送局がチャンネルサーチで検出された場合に、その系列放送局の少なくともチャンネル情報を前記視聴中の番組の放送局の少なくともチャンネル情報と系列関係があるものとして関連付けて系列局記憶部に記憶させる記憶ステップと、
前記受信不可検出ステップにより受信不可通知が発せられた場合に、前記系列局記憶ステップから前記系列放送局のチャンネル情報を検索し、
現在位置で受信できる可能性のある系列放送局が記憶されていた場合には、該系列放送局のチャンネル情報に基づく受信信号が現状で受信可能な状態（以下、「現状受信可状態」と言う）か否かを判断し、「現状受信可状態」の場合に前記系列放送局の番組を視聴させ、
前記現在位置で受信できる可能性のある系列放送局が記憶されていない場合には、系列放送局をチャンネルサーチするように指示を出力する選局制御ステップ
を備えることを特徴とするデジタル放送受信方法。
【請求項１５】
デジタル放送番組の受信信号を受信して選局し、復調し、誤り訂正し、選局された番組の受信信号のトランスポートストリーム（以下、「ＴＳ」と言う）を出力するチューナ・復調ステップと、
前記ＴＳから映像／音声ストリームを分離抽出して出力し、前記ＴＳから番組特定情報(ＰＳＩ)及び番組配列情報(ＳＩ)を抽出するデマルチプレクスステップと、
前記映像／音声ストリームから映像の復号及び音声の復号を行い、復号された映像信号及び音声信号を出力する映像／音声デコードステップをさらに備える
ことを特徴とする請求項１４に記載のデジタル放送受信方法。
【請求項１６】
前記チューナ・復調ステップは、選局された番組の受信信号の受信レベル情報、受信Ｃ／Ｎ比情報、ＰＬＬロック情報、フレームロック情報、及び誤り率情報の各種情報の少なくとも一つを出力し、
前記デマルチプレクスステップは、番組アソシエーション・テーブル(ＰＡＴ)断絶情報、番組対応テーブル(ＰＭＴ)断絶情報、ＴＳ同期はずれ情報、及びＴＳパケット損失情報の各種情報の少なくとも一つを出力し、
前記映像／音声デコードステップは、デコードエラー検出情報、及びデコードエラー率情報の各種情報の少なくとも一つを出力し、
前記受信不可検出ステップは、前記チューナ・復調ステップ、前記デマルチプレクスステップ及び前記映像／音声でコードステップにより出力される前記各種情報の少なくとも一つに基づいて前記番組の受信信号が「現状受信不可状態」であるか否かの判定を行う
ことを特徴とする請求項１５に記載のデジタル放送受信方法。
【請求項１７】
前記系列放送局のチャンネルサーチにおいては、放送局を順次選局し、選局された放送局からの信号から検出された番組配列情報(ＳＩ)のブロードキャスター・インフォーメーション・テーブル（ＢＩＴ）セクションにおける系列事業者識別（affiliation_id）のフィールド値が同一であるか否かに基づいて系列放送局かどうかの判定を行うことを特徴とする請求項１４に記載のデジタル放送受信方法。
【請求項１８】
前記記憶ステップは、更に前記視聴中の番組の放送局の番組特定情報(ＰＳＩ)及び番組配列情報(ＳＩ)及びその系列放送局の番組特定情報(ＰＳＩ)及び番組配列情報(ＳＩ)を記憶し、
前記選局制御ステップは、
前記受信不可検出ステップにより前記受信不可通知が発せられた場合に、前記系列局記憶部から前記系列放送局のチャンネル情報及び番組特定情報及び番組配列情報を検索し、
前記現在位置で受信できる可能性のある系列放送局が前記系列局記憶部に記憶されていた場合には、該系列放送局のチャンネル情報に基づく受信信号が「現状受信可状態」か否か、及び前記番組特定情報及び番組配列情報に基づいて前記視聴中の番組と前記系列放送局の番組が同一であるか否かを判断し、「現状受信可状態」で番組が同一の場合に前記系列放送局の番組を視聴させ、
前記現在位置で受信できる可能性のある系列放送局が前記系列局記憶部に記憶されていない場合、又は前記系列放送局のチャンネル情報に基づく受信は可能であるが前記系列放送局の番組が同一ではない場合には、系列放送局をチャンネルサーチするように指示を出力する
ことを特徴とする請求項１４、１５又は１６に記載のデジタル放送受信方法。
【請求項１９】
前記選局制御ステップは、
前記視聴中の番組の受信信号と前記系列放送局の番組の受信信号から得られる番組配列情報(ＳＩ)のブロードキャスター・インフォーメーション・テーブル（ＢＩＴ）セクションにおけるaffiliation_idのフィールド値が同一であるか否かに基づいて、前記視聴中の番組と前記系列放送局の番組が同一であるか否かの判断を行う
ことを特徴とする請求項１４、１５又は１６に記載のデジタル放送受信方法。
【請求項２０】
前記選局制御ステップ（７）は、
前記視聴中の番組と前記系列放送局の受信信号の前記番組配列情報(ＳＩ)のイベント・インフォメーション・テーブル（ＥＩＴ）の番組名（event_name_char）のフィールド値、番組記述（text_char）のフィールド値に基づいて、前記視聴中の番組と前記系列放送局の番組が同一であるか否かの判断を行う
ことを特徴とする請求項１８に記載のデジタル放送受信方法。
【請求項２１】
前記チューナ・復調ステップが、強階層及び弱階層で伝送される番組を受信している場合に、
前記選局制御ステップは、
最初は前記映像／音声デコードステップに、前記弱階層で伝送された受信信号を復号させ、
前記受信不可検出ステップにより前記受信不可通知が発せられた場合には、前記映像／音声デコードステップにおいて復号すべき受信信号を、前記強階層で伝送された受信信号に切替えさせ、前記強階層で伝送された受信信号が「現状受信可状態」か否かを判断し、
前記強階層で伝送された受信信号が「現状受信可状態」の場合には、前記映像／音声デコードステップにおいて復号すべき受信信号を、前記強階層で伝送された受信信号に切替えさせ、
前記強階層で伝送された受信信号が「現状受信不可状態」の場合には、前記系列局記憶部からの前記系列放送局のチャンネル情報の検索、又は前記チャンネルサーチを行わせる
ことを特徴とする請求項１５に記載のデジタル放送受信方法。
【請求項２２】
前記弱階層から強階層への切替が、前記系列局記憶部からの前記系列放送局のチャンネル情報の検索により選局された放送局の番組の受信信号について行われる
ことを特徴とする請求項２１に記載のデジタル放送受信方法。
【請求項２３】
前記弱階層から強階層への切替が、前記チャンネルサーチにより検出されて選局された放送局の番組の受信信号について行われる
ことを特徴とする請求項２１に記載のデジタル放送受信方法。
【請求項２４】
前記選局制御ステップは、前記強階層で伝送された受信信号を受信中に、受信不可検出ステップから前記弱階層で伝送された受信信号が「現状受信可状態」になったことが通知された場合には、
前記映像／音声デコードステップにおいて、復号すべき階層を前記弱階層に切替えさせ、前記弱階層で伝送された番組の受信信号で前記系列放送局の番組を視聴させる
ことを特徴とする請求項２１〜２３のいずれかに記載のデジタル放送受信方法。
【請求項２５】
前記選局制御ステップは、
前記受信不可検出ステップにより受信不可通知が発生され、前記系列局記憶部に、複数の系列放送局が記憶されている場合に、
前記放送局からの視聴中の番組の受信信号から得られるサービスＩＤの地域識別値サービスＩＤの地域識別値で特定される地域の隣接地域を求め、
前記系列局記憶部に記憶された複数の系列放送局のうち、視聴中の番組の受信信号の放送局の隣接地域に配置される放送局を、近い順に選局し「現状受信可状態」か否かを判断する
ことを特徴とする請求項１４〜２４の何れかに記載のデジタル放送受信方法。
【請求項２６】
現在位置がデジタル放送の受信不可地域であるか否かを判断し、現在位置が受信不可地域であることを検出する位置検出ステップをさらに備え、
前記選局制御ステップは、現在位置が前記受信不可地域である場合には他の系列放送局へ切換える指示或いは系列放送局をチャンネルサーチする指示を出力しない
ことを特徴とする請求項１４〜２５の何れかに記載のデジタル放送受信方法。
【請求項２７】
前記選局制御部は、
前記系列局記憶部に系列放送局を前記関連づけて記憶させる際に、前記検出した系列局の検出回数を検出し、該検出回数も前記系列放送局に関連づけて系列局記憶部に記憶させておき、
前記受信不可検出部から受信不可通知を受信した場合に、前記系列局記憶部から前記系列放送局のチャンネル情報を検索し、
現在位置で受信できる可能性のある系列放送局が複数局記憶されていた場合には、前記系列局の検出回数値が大きい系列放送局から順に選択し、選択された該系列放送局のチャンネル情報に基づく受信信号が「現状受信可状態」か否かを判断し、「現状受信可状態」の場合に前記系列放送局の番組を視聴させ、
前記現在位置で受信できる可能性のある系列放送局が記憶されていないか、又は記憶されていた全ての前記系列放送局が「現状受信不可状態」の場合には、系列放送局をチャンネルサーチするように指示を出力する
ことを特徴とする請求項１に記載のデジタル放送受信装置。
【請求項２８】
前記選局制御部は、
前記系列局記憶部に系列放送局を前記関連づけて記憶させる際に、検出した系列局の優先順位を最も早い順位とし、当該検出された系列局の変更前の優先順位よりも早い優先順位にあるものとして前記系列局記憶部に記憶されていたその他の系列局の優先順位を、それまでの優先順位よりも一つずつ下げて、それぞれの系列放送局に関連づけて、系列局記憶部に記憶させておき、
前記受信不可検出部から受信不可通知を受信した場合に、前記系列局記憶部から前記系列局のチャンネル情報を検索し、
現在位置で受信できる可能性のある系列放送局が複数局記憶されていた場合には、前記系列局の選局の優先順位が早い系列放送局から順に選択し、選択された該系列放送局のチャンネル情報に基づく受信信号が「現状受信可状態」か否を判断し、「現状受信可状態」の場合に前記系列放送局の番組を視聴させ、
前記現在位置で受信できる可能性のある系列放送局が記憶されていないか、又は記憶されていた全ての前記系列放送局が「現状受信不可状態」の場合には、系列放送局をチャンネルサーチするように指示を出力する
ことを特徴とする請求項１に記載のデジタル放送受信装置。
【請求項２９】
デジタル放送番組の受信信号を受信して選局、復調、誤り訂正を行い、選局された番組の受信信号のトランスポートストリーム（以下「ＴＳ」と言う）を出力するチューナ・復調部をさらに備え、
前記選局制御部は、
前記系列局記憶部に系列放送局を前記関連づけて記憶させる際に、前記チューナ・復調部で前記視聴中の番組を伝送するＴＳと同一のＴＳが検出された場合に、その検出されたＴＳがマルチ周波数ネットワーク(ＭＦＮ）の関係であるかどうかの判定を行い、ＭＦＮ関係にあると判定されたときは、当該ＭＦＮ関係があると判定されたＴＳの少なくともチャンネル情報と前記視聴中の番組を伝送するＴＳの少なくともチャンネル情報とをＭＦＮ関係があるものとして関連付けて前記系列局記憶部に記憶させておき、
前記受信不可検出部から受信不可通知を受信した場合に、前記系列局記憶部から前記ＭＦＮ関係にあるＴＳを検索し、
現在位置で受信できる可能性のあるＭＦＮ関係にあるＴＳのチャンネル情報に基づく受信信号が「現状受信可状態」か否かを判断し、「現状受信可状態」の場合に前記ＭＦＮ関係にあるＴＳが伝送する番組を視聴させ、
前記現在位置で受信できる可能性のあるＭＦＮ関係にあるＴＳが記憶されていないか、又は記憶されていた全ての前記ＭＦＮ関係にあるＴＳが伝送する番組が「現状受信不可状態」の場合には、系列放送局をチャンネルサーチするように指示を出力する
ことを特徴とする請求項１に記載のデジタル放送受信装置。
【請求項３０】
前記選局制御部は、
前記検出されたＴＳの検出回数を検出し、前記ＭＦＮ関係であることと共に該検出回数も前記系列放送局に関連づけて前記系列局記憶部に記憶させておき、
前記受信不可検出部から受信不可通知を受信した場合に、前記系列局記憶部から前記ＭＦＮ関係にあるＴＳのチャンネル情報を検索し、
現在位置で受信できる可能性のあるＭＦＮ関係にあるＴＳが複数記憶されていた場合には、
前記ＭＦＮ関係にあるＴＳの検出回数値が大きい系列放送局から順にＴＳを選択し、選択された該ＴＳのチャンネル情報に基づく受信信号が「現状受信可状態」か否かを判断し、「現状受信可状態」の場合に前記ＭＦＮ関係にあるＴＳが伝送する番組を視聴させるように指示を出力する
ことを特徴とする請求項２９に記載のデジタル放送受信装置。
【請求項３１】
前記選局制御部は、
前記検出されたＴＳの検出回数を検出し、前記検出されたＭＦＮ関係にあるＴＳの優先順位を最も早い順位とし、前記検出されたＴＳの変更前の優先順位よりも早い優先順位にあった他のＭＦＮ関係にあるＴＳの優先順位を１つずつ下げて、変更後の優先順位を前記系列局記憶部に記憶させておき、
前記受信不可検出部から受信不可通知を受信した場合に、前記系列局記憶部から前記ＭＦＮ関係にあるＴＳのチャンネル情報を検索し、
現在位置で受信できる可能性のあるＭＦＮ関係にあるＴＳが複数記憶されていた場合には、
前記ＭＦＮ関係にあるＴＳの選局の優先順位が早い方から順にＴＳを選択し、選択されたＭＦＮ関係にあるＴＳのチャンネル情報に基づく受信信号が「現状受信可状態」か否かを判断し、「現状受信可状態」の場合に前記ＭＦＮ関係にあるＴＳが伝送する番組を視聴させるように指示を出力する
ことを特徴とする請求項２９に記載のデジタル放送受信装置。
【請求項３２】
デジタル放送番組の受信信号を受信して選局、復調、誤り訂正を行い、選局された番組の受信信号のＴＳを出力すると共に、該番組の受信信号の受信レベル情報、受信Ｃ／Ｎ比情報、ＰＬＬロック情報、フレームロック情報、誤り率の各種情報の少なくとも一つを出力するチューナ・復調部と、
前記ＴＳから映像／音声ストリームを分離抽出して出力し、前記ＴＳから番組特定情報及び番組配列情報を抽出して該番組特定情報及び番組配列情報を保存すると共に、番組アソシエーション・テーブル(ＰＡＴ)断絶情報、番組対応テーブル(ＰＭＴ)断絶情報、ＴＳ同期はずれ情報、及びＴＳパケットの損失情報の各種情報の少なくとも一つを出力するデマルチプレクス部と、
前記映像／音声ストリームから映像の復号及び音声の復号を行い、復号された映像信号及び音声信号を出力すると共に、デコードエラー検出情報、及びデコードエラー率情報の各種情報の少なくとも一つを出力する映像／音声デコード部を備え、
前記受信不可検出部が、
前記各種情報の少なくとも一つに基づいて前記番組の受信信号が「現状受信不可状態」であることを検出した場合、
前記選局制御部は、
系列局記憶部内の検索又はチャンネルサーチにより系列局の関係又はＭＦＮ関係にあるＴＳが検出できた場合、検出できたＴＳのチャンネル局情報を系列局記憶部に記憶させておくと共に、
「現状受信不可状態」が発生する直前の所定期間の上記各種情報の変化パターンを受信異常履歴情報として、前記検出できたＴＳのチャンネル局情報に関連づけて系列局記憶部に記憶させておき、
その後、前記受信不可検出部の「現状受信不可状態」を検出した時には、前記系列局記憶部に記憶された受信異常履歴情報から、その際の受信異常履歴情報の変化パターンと同一又は類似する変化パターンを表す受信異常履歴情報を検索し、検索された受信異常履歴情報に関連して記憶されている系列局の関係又はＭＦＮ関係にあるＴＳのチャンネル選局情報を選局に用いる
ことを特徴とする請求項２７〜３１の何れかに記載のデジタル放送受信装置。
【請求項３３】
前記選局制御部は、前記受信不可検出部の「現状受信不可状態」の検出時に、その直前の所定期間の受信異常履歴情報が、現在位置がどのチャンネルも選局できない状態であることを示す場合、前記系列放送局またはＭＦＮ関係にあるＴＳのチャンネル選局情報を用いる選局を中止することを特徴とする請求項２９に記載のデジタル放送受信装置。
【請求項３４】
デジタル放送を受信し選局を行なう第１及び第２のチューナ部と、
前記第１及び第２のチューナ部の一方からの出力信号の復調、誤り訂正を行いトランスポートストリームを出力する復調部と、
前記復調部から出力されるトランスポートストリームから番組特定情報、番組配列情報を抽出し番組情報の保存を行い、映像、音声ストリームを抽出分離するデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部の前記一方、前記デマルチプレクス部、及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部の他方の信号を用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項３５】
前記第１及び第２のチューナ部の出力のいずれかを選択して前記復調部に供給するチューナ部選択部をさらに備え、
前記チューナ部選択部が前記第１及び第２のチューナ部の前記一方の出力を選択して前記復調部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部の役割を入れ替えることを特徴とする請求項３４に記載のデジタル放送受信装置。
【請求項３６】
デジタル放送を受信し選局を行なう第１及び第２のチューナ部と、
それぞれ前記第１及び第２のチューナ部からの出力信号の復調、誤り訂正を行いトランスポートストリームを出力する第１及び第２の復調部と、
前記第１及び第２のチューナ部のうちの一方の出力信号の復調、誤り訂正を行う前記第１又は第２の復調部から出力されるトランスポートストリームから番組特定情報、番組配列情報を抽出し番組情報の保存を行い、映像、音声ストリームを抽出分離するデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部の前記一方、前記第１及び第２のチューナ部の前記一方の出力信号の復調、誤り訂正を行う前記第１又は第２の復調部、前記第１のデマルチプレクス部及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部の他方及び前記第１及び第２のチューナ部の他方の出力信号の復調、誤り訂正を行う前記第１又は第２の復調部からの信号のいずれかを用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項３７】
前記第１及び第２の復調部の出力のいずれかを選択して前記デマルチプレクス部に供給する復調部選択部をさらに備え、
前記復調部選択部が前記第１及び第２のチューナ部の前記一方の出力信号の復調、誤り訂正を行う前記第１又は第２の復調部の出力を選択して前記デマルチプレクス部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部、並びに前記第１及び第２の復調部の役割を入れ替えることを特徴とする請求項３６に記載のデジタル放送受信装置。
【請求項３８】
デジタル放送を受信し選局を行なう第１及び第２のチューナ部と、
それぞれ前記第１及び第２のチューナ部からの出力信号の復調、誤り訂正を行いトランスポートストリームを出力する第１及び第２の復調部と、
それぞれ前記第１及び第２の復調部から出力されるトランスポートストリームから番組特定情報、番組配列情報を抽出し番組情報の保存を行い、映像、音声ストリームを抽出分離する第１及び第２のデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部、前記第１及び第２の復調部、前記第１及び第２のデマルチプレクス部及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部、前記第１及び第２の復調部、及び前記第１及び第２のデマルチプレクス部のいずれかを用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項３９】
前記第１及び第２のデマルチプレクス部の出力のいずれかを選択して前記映像／音声デコード部に供給するデマルチプレクス部選択部をさらに備え、
前記デマルチプレクス部選択部が前記第１及び第２のチューナ部の一方の出力信号の復調、誤り訂正を行う前記第１又は第２の復調部の出力を受ける前記第１又は第２のデマルチプレクス部を選択して前記映像／音声デコード部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部、並びに前記第１及び第２の復調部、並びに前記第１及び第２のデマルチプレクス部の役割を入れ替えることを特徴とする請求項３８に記載のデジタル放送受信装置。
【請求項４０】
前記選局制御部は、前記第１及び第２のチューナ部のいずれかに、前記系列局記憶部に記録されている系列局のみ順に選局させ、その際に得られる情報を元に優先度を算出することを特徴とする請求項３４乃至３９のいずれかに記載のデジタル放送受信装置。
【請求項４１】
前記選局制御部は、前記第１及び第２のチューナ部の一方を用いてある放送局を受信し、その放送局のコンテンツを表示している際に、コンテンツを表示している放送局と同じ系列の放送局を他方のチューナ部で受信しておき、コンテンツを表示している放送局の受信状態が悪くなった場合に、前記他方のチューナ部で受信している放送局のコンテンツを表示することを特徴とする請求項３４乃至３９のいずれかに記載のデジタル放送受信装置。
【発明の詳細な説明】
【技術分野】
【０００１】
本発明は、移動体に搭載されてデジタル放送を受信して復号するデジタル放送受信装置に関し、特に受信中の放送局の番組の受信状態が悪化したときに、同じ系列の放送局を見つけることを容易にしたデジタル放送受信装置に関する。
【背景技術】
【０００２】
従来のこの種のデジタル放送局では、そのデジタル放送局と同じ内容の番組を放送している他の放送局を示す情報を送出していない。又は、仮にデジタル放送局がそのような情報を送出したとしても、移動体搭載の受信装置側でその情報を利用することはなかった。従って、移動体搭載の受信装置側で視聴中の番組の受信が受信レベル低下等の理由から不可能になった場合には、視聴者は、マニュアル操作で受信可能な放送局を一つずつ選局し、番組内容が同一であるかを判断する必要があった。
【０００３】
上記のような処理の煩雑さをなくすために、例えば、デジタル放送局側からは番組情報中に系列局情報を含めて送出し、移動体搭載の受信装置側では、例えば受信レベルの低下で番組視聴が不可と判断した時に、受信可能な別の放送局を自動的に検索し、受信可能な放送局があれば、その放送局の番組情報の中からその放送局の系列局情報を抽出し、その系列局情報から、受信レベルの低下前に視聴していた番組の放送局と同じ系列局であれば、その放送局を選局する方法が知られている（例えば、特許文献１、請求項１及び図１参照）。
【０００４】
又、受信レベルの低下で番組視聴が不可と判断した時に、自動的にチャンネルサーチし、サーチされた放送局の番組情報の中からその放送局が放送中の番組タイトルを抽出し、その番組タイトルと受信レベルの低下前に視聴していた番組の番組タイトルを比較して同じ（又は、番組ジャンル、番組識別番号を比較して同じ）であれば、その放送局を選局する方法が知られている（例えば、特許文献１；請求項２−５及び図１参照）。
【０００５】
【特許文献１】特開２００４−１４０６９０号公報（請求項１−５  第１図）
【発明の開示】
【発明が解決しようとする課題】
【０００６】
しかしながら、従来のデジタル放送受信装置では、受信レベルが低下して視聴できなくなる度に、毎回、受信周波数の全帯域を順にスキャンするチャンネルサーチで系列局を探すため、番組の視聴中断時間が長いという問題がある。特に、車等の移動体で相互に系列関係にある放送局のサービス地域の境界付近を移動する場合、頻繁に系列局のチャンネルサーチを実施するため、番組の視聴中断時間が非常に長くなる。
【０００７】
本発明は上記したような課題を解決するためになされたもので、視聴中の番組の放送局の番組の視聴が不可になった時に、同じ系列の放送局を見つけるための時間を短縮し、番組の視聴中断時間を短くできるデジタル放送受信装置及びその受信方法を提供することを目的とする。
【課題を解決するための手段】
【０００８】
本発明は、
視聴中のデジタル放送番組の放送局からの受信信号から得られる情報に基づき、該視聴中の番組の放送局からの受信信号を受信することが現状で不可能な状態（以下、「現状受信不可状態」と言う）になったことを検出して受信不可通知を出力する受信不可検出部と、
前記視聴中の番組の放送局の少なくともチャンネル情報を記憶すると共に、前記視聴中の番組の放送局と同系列である系列放送局がチャンネルサーチで検出された場合に、その系列放送局の少なくともチャンネル情報を前記視聴中の番組の放送局の少なくともチャンネル情報と系列関係があるものとして関連付けて記憶する系列局記憶部と、
前記受信不可検出部から受信不可通知を受信した場合に、前記系列局記憶部から前記系列放送局のチャンネル情報を検索し、
現在位置で受信できる可能性のある系列放送局が記憶されていた場合には、該系列放送局のチャンネル情報に基づく受信信号が現状で受信可能な状態（以下、「現状受信可状態」と言う）か否かを判断し、「現状受信可状態」の場合に前記系列放送局の番組を視聴させ、
前記現在位置で受信できる可能性のある系列放送局が記憶されていない場合には、系列放送局をチャンネルサーチするように指示を出力する選局制御部
を備えることを特徴とするデジタル放送受信装置を提供する。
【発明の効果】
【０００９】
本発明では、一旦選局されて系列関係が記録された放送局とその系列放送局の受信時で、「現状受信不可状態」になった場合には、記録を自動的に参照することで、受信周波数の全帯域をスキャンして系列放送局をチャンネルサーチする時間を省略することができ、番組視聴が中断される時間を短縮することができる。
【発明を実施するための最良の形態】
【００１０】
実施の形態１．
図１は、この発明の実施の形態１に係るデジタル放送受信装置の概略の内部構成を示すブロック図である。図１に示されるデジタル放送受信装置は、チューナ・復調部１と、デマルチプレクス部２と、映像／音声でコード部３と、映像表示部４と、音声出力部５と、受信不可検出部６と、選局制御部７と、系列局記憶部８とを有する。
【００１１】
チューナ・復調部１は、デジタル放送の放送局から送出された放送信号をアンテナで受信した信号が入力され、選局、復調、誤り訂正を行い、ＴＳ（トランスポートストリーム）を出力する。上記の選局は、入力手段による指定に応じて、或いは、後述する系列局記憶部８からに記憶されたチャンネル情報に基づいて、或いは後述のようにチャンネルサーチして検出された情報に基づいて行われる。チューナ・復調部１はまた、選局している番組の受信信号の受信レベル情報、受信Ｃ／Ｎ比情報（Ｃａｒｒｉｅｒ−ｔｏ−Ｎｏｉｓｅ  ｒａｔｉｏ：搬送波電力対雑音電力比）、ＰＬＬロック情報、フレームロック情報、誤り率情報などの各種情報の少なくとも一つを出力する。
【００１２】
デマルチプレクス部２は、入力されるＴＳから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）を抽出し、それらの情報をメモリに保存させる。尚、この場合のメモリは、後述する系列局記憶部８でもよいし、他の記憶部でもよい。
デマルチプレクス部２は更に、抽出されたＰＳＩ及び／又はＳＩ（以下「ＰＳＩ／ＳＩ」と記載することがある）から、ＴＳ中の映像ＴＳパケット及び音声ＴＳパケットのＰＩＤ（ＴＳパケット識別子：Ｐａｃｋｅｔ  Ｉｄｅｎｔｉｆｉｅｒ）の値を検出し、ＴＳを各ＰＩＤでフィルタリングして映像ＴＳパケット及び音声ＴＳパケットを分離させて抽出し、映像／音声デコード部３に出力すると共に、番組アソシエーション（統合）・テーブル（ＰＡＴ（Ｐｒｏｇｒａｍ  Ａｓｓｏｃｉａｔｉｏｎ  Ｔａｂｌｅ））断絶情報（途絶情報）、番組対応テーブル（ＰＭＴ（Ｐｒｏｇｒａｍ  Ｍａｐ  Ｔａｂｌｅ））断絶情報（途絶情報）、ＴＳ同期はずれ（同期ロスト））情報、ＴＳパケットの損失情報（パケットロスト情報）の各種情報のうちの少なくとも一つを出力する。
上記のうち、ＰＡＴ断絶情報は、ＰＡＴが所定の時間間隔で到来しなかった場合に発せられる。ＰＭＴ断絶情報は、ＰＭＴが所定の時間間隔で到来しなかった場合に発せられる。ＴＳ同期はずれ情報（通知）は、ＴＳにおいて１８８バイト毎に同期バイトが検出されない場合に発せられる。ＴＳパケットの損失情報（通知）は、ＴＳのヘッダ中に存在する連続性カウンタ値の不連続を検出した際に発せられる。
【００１３】
映像／音声デコード部３は、映像パケット及び音声パケットから映像のデコード（復号）及び音声のデコードを行い、映像パケットの復号された映像信号は映像表示部４に出力し、音声パケットの復号された音声信号は音声出力部５に出力すると共に、デコードエラー検出情報、デコードエラー率情報の各種情報のうちの少なくとも一つを出力する。
【００１４】
映像表示部４は、入力した映像パケットの復号された映像信号に基づいて画面に映像を表示させる。音声出力部５は、入力した音声パケットの復号された音声信号に基づいてスピーカから音声を出力させる。
【００１５】
受信不可検出部６は、例えば、車等の移動体に搭載されるか携帯されるデジタル放送受信装置では、デジタル放送受信装置の受信位置が移動することから、受信位置が視聴中の番組の放送局のサービス地域外になる場合や、地上の構造物による搬送波の遮断や減衰等の影響等を受けた場合があり、そのような場合には視聴中の番組の放送局からの番組を受信することが不可となるが、その場合を検出する。
【００１６】
そのため、受信不可検出部６は、チューナ・復調部１、デマルチプレクス部２及び映像／音声デコード部３から出力される上記の各種情報の少なくとも一つに基づいて受信信号が「現状受信不可状態」であることを検出する。
例えば、チューナ・復調部１からの受信レベル情報により、受信レベルが所定値未満となった場合には、「現状受信不可」と判断する。
同様に、チューナ・復調部１からの受信Ｃ／Ｎ比情報により、Ｃ／Ｎ比が所定値未満となった場合には、「現状受信不可」と判断する。
同様に、チューナ・復調部１からのＰＬＬロック情報により、ＰＬＬロックがはずれたと判断されるときは、「現状受信不可」と判断する。
同様に、チューナ・復調部１からのフレームロック情報により、フレームロックがはずれたと判断されるときは、「現状受信不可」と判断する。
同様にチューナ・復調部１からの誤り率情報により誤り率が所定値を超えると判断されたときは、「現状受信不可」と判断する。
同様に、デマルチプレクス部２からのＰＡＴ（Ｐｒｏｇｒａｍ  Ａｓｓｏｃｉａｔｉｏｎ  Ｔａｂｌｅ）断絶情報により、ＰＡＴ断絶が検出されときは、「現状受信不可」と判断する。
同様に、デマルチプレクス部２からのＰＭＴ（Ｐｒｏｇｒａｍ  Ｍａｐ  Ｔａｂｌｅ）断絶情報により、ＰＭＴ断絶が検出されときは、「現状受信不可」と判断する。
同様に、デマルチプレクス部２からのＴＳ同期はずれ情報により、ＴＳ同期はずれが検出されたときは、「現状受信不可」と判断する。
同様に、デマルチプレクス部２からのＴＳパケットの損失情報により、ＴＳパケットの損失が検出されたときは、「現状受信不可」と判断する。
同様に、映像／音声でコード部３からのデコードエラー検出情報によりデコードエラーが検出されたときは、「現状受信不可」と判断する。
同様に、映像／音声でコード部３からのデコードエラー率情報によりデコードエラー率が所定値を超えると判断されたときは、「現状受信不可」と判断する。
【００１７】
受信不可検出部６は、上記した入力情報又は入力通知に基づいて、受信信号が「現状受信不可状態」であるか否かを判断するが、この際、現状では受信可能であっても、「受信不可直前状態」、即ち、「現状では受信可能であっても、信号レベルが受信不可に近く、近いうちに受信が不可能になるおそれがある場合には、「現状受信不可状態」であるとして処理する。
【００１８】
判断の結果、受信信号が「現状受信不可状態」であると判断した場合、「受信不可通知」を選局制御部７に送出する。すなわち、受信不可検出部６は、視聴中の番組の放送局からの受信信号から得られる各種情報に基づき、その放送局からの視聴中の番組の受信信号を受信することが不可能な状態になったことを検出して受信不可通知を出力する。
【００１９】
選局制御部７は、視聴中の番組の放送局の少なくともチャンネル情報を系列局記憶部８又は他の記憶部に記憶させる。
選局制御部７は又、受信不可検出部６から受信不可通知を受信した場合に、後述する系列局記憶部８から系列放送局（系列局）のチャンネル情報を検索し、デジタル放送受信装置の現在位置で当該デジタル放送受信装置が受信できる可能性のある系列局が記憶されていた場合には、その系列局のチャンネル情報に基づく受信信号が「現状受信可状態」か否かを判断し、「現状受信可状態」の場合に当該系列局の番組を視聴させ（選局により映像を表示させ、音声を出力させ）、デジタル放送受信装置の現在位置で当該デジタル受信装置が受信できる可能性のある系列局が記憶されていない場合には、系列局をチャンネルサーチするようにチューナ・復調部１に指示を出力する。この選局制御部７のチャンネルサーチの指示は、後述する図２の状態遷移図に従う動作となるように出力される。
【００２０】
又、系列局記憶部８に複数の系列局が記憶されている場合には、受信不可検出部６から受信不可通知を受信した場合に、放送局からの視聴中の番組の受信信号から得られるサービスＩＤの地域識別値で特定される地域の隣接地域を求め、系列局記憶部８に記憶された複数の系列局のうち、視聴中の番組の受信信号の放送局のサービス地域の隣接地域に配置される放送局を、近い順に選局し「現状受信可状態」か否かを判断する。
【００２１】
系列局記憶部８は、視聴中の番組の放送局の少なくともチャンネル情報を記憶すると共に、視聴中の番組の放送局の系列局がチャンネルサーチで検出された場合に、その系列局の少なくともチャンネル情報を前記視聴中の番組の放送局の少なくともチャンネル情報と系列関係があるものとして関連付けて記憶させる。この系列局記憶部８には、複数の系列局が記憶される場合がある。
【００２２】
図２は、図１のデジタル放送受信装置における選局制御部７の選局動作を示す状態遷移図である。
図２において「放送局Ａ視聴５１」は、デジタル放送受信装置がデジタル放送局Ａの番組を視聴している状態であることを示している。「系列局サーチ５２」は、デジタル放送受信装置が放送局Ａ又はＢと同一系列に属する放送局を検索するために、例えば物理周波数の低いチャンネルから昇順に選局していき系列局をチャンネルサーチしている状態であることを示している。「放送局Ｂ視聴５３」は、デジタル放送受信装置がデジタル放送局Ｂの番組を視聴している状態であることを示している。尚、放送局Ａと放送局Ｂは、互いに同一系列に属するデジタル放送局である。同一系列に属するデジタル放送局では、一般的に同時刻には同じ番組を放送する確率が高いが、一部の時間帯ではそのデジタル放送局の位置する地域のみの特有の番組を放送する場合がある。
【００２３】
遷移条件は、図示したように「放送局Ａ視聴５１」の状態では、系列局（放送局Ｂ）が検出済みで「受信不可通知」が入力された場合に「放送局Ｂ視聴５３」の状態に遷移し（５１Ａ）、系列局が未検出で「受信不可通知」が入力された場合に「系列局サーチ５２」の状態に遷移する（５１Ｂ）。
同様に、「放送局Ｂ視聴５３」の状態では、系列局（放送局Ａ）が検出済みで「受信不可通知」が入力された場合に「放送局Ａ視聴５１」の状態に遷移し（５３Ａ）、系列局が未検出で「受信不可通知」が入力された場合に「系列局サーチ５２」の状態に遷移する（５３Ｂ）。
更に「系列局サーチ５２」の状態では、サーチ結果として系列局が検出された時に、上記した遷移元の「放送局Ａ視聴５１」又「放送局Ｂ視聴５３」の何れか一方とは異なる方の状態に遷移する（５２Ａ）。つまり遷移元が「放送局Ａ視聴５１」の状態であれば、サーチ結果の系列局である「放送局Ｂ視聴５３」の状態に遷移し（５２Ａ）、遷移元が「放送局Ｂ視聴５３」の状態であれば、サーチ結果の系列局である「放送局Ａ視聴５１」の状態に遷移する（５２Ｂ）。
【００２４】
図３及び図４は、図１のデジタル放送受信装置における選局制御部７の動作を示すフローチャートである。
以下に、図２、図３及び図４を用いて選局制御部７の動作について説明する。
まずデジタル放送受信装置が、選局制御部７の指示により一つの放送局（例えば図２に示された２つの放送局の一方の放送局Ａ)を視聴している状態（例えば、図２の「放送局Ａ視聴５１」の状態）であるとする（Ｓ１）。
この場合、選局制御部７は、その視聴中の番組の放送局の少なくともチャンネル情報を系列局記憶部８又は他の記憶部に記憶させる（Ｓ２)。
【００２５】
上記したステップＳ１の状態で選局制御部７は、受信不可検出部６から「受信不可通知」を受信したか否か、即ち、「現状受信可状態」であるか否かを判断する（Ｓ３）。
現状受信可状態である（「受信不可通知」を受信していない）場合（Ｓ３でＹＥＳ）には、ステップＳ１に戻って同じ局の視聴を継続する。
ステップＳ３で、「現状受信不可状態」である（「受信不可通知」を受信している）場合（Ｓ３でＮＯ）には、系列局記憶部８に同じ系列の他の放送局のチャンネル情報が記憶されているか否かを判断する（Ｓ４）。
【００２６】
ステップＳ４において、系列局記憶部８に同じ系列の他の放送局のチャンネル情報が記憶されていた場合（Ｓ４でＹＥＳ）には、選局制御部７は、その同系列の放送局の番組を選局し(Ｓ５)、受信不可検出部６から「受信不可通知」を受信したか否か、即ち、当該系列局の番組が「現状受信可状態」否かを判断する（Ｓ６）。
【００２７】
系列記憶部８に同じ系列の複数の放送局のチャネル情報が記憶されている場合には、ステップＳ５においては、上記複数のチャネル情報のうちの優先度の高いもの、即ち、優先順位が１番目のものを選局する。この場合、例えば、視聴していた放送局からの番組の受信信号から得られるサービスＩＤの地域識別値で特定される地域の隣接地域の地域識別コードを求め、系列局記憶部８に記憶された複数の系列局のうち、視聴中の番組の受信信号の放送局の隣接地域（求められた地域識別コードで特定される）に配置された放送局のうちの最も近いものの優先順位を１番目とし、他のものは近さの順に優先順位を決める。
【００２８】
ステップＳ６で「現状受信可状態」である場合（Ｓ６でＹＥＳ）には、その系列局の番組を視聴させる（Ｓ７）。
これは、例えば、図２の「放送局Ａ視聴５１」の状態から「放送局Ｂ視聴５３」の状態への遷移５１Ａに相当する。
【００２９】
ステップＳ６で「現状受信不可状態」場合（Ｓ６でＮＯ）には、その受信不可と判断された系列局）を除外し（Ｓ１７）、それ以外に系列記憶部８に同じ系列局の放送局のチャンネル情報が記憶されているかどうかの判定を行う（Ｓ４）。
ステップＳ１７を経た後のステップＳ４でＹＥＳであれば、ステップＳ５に進むが、この場合、ステップＳ１７の処理で除外された系列局以外の系列局の中で優先順位の最も高いものを選択する。
【００３０】
複数の系列局のすべてについて、ステップＳ６における判定の結果、答えがすべてＮＯであった場合には、その次に行われるステップＳ４の判定で答えがＮＯとなる。最初のステップＳ４の判定で、系列局が１つしか記憶されていない場合には、その後ステップＳ５、Ｓ６、Ｓ１７を経て最初にステップＳ４の判定を行う際、答えがＮＯとなる。
【００３１】
ステップＳ７で選択された放送局の番組の視聴中にも、その放送局の番組が「現状受信可状態」であるか否かの判定を継続して（繰り返し）行う（Ｓ８）。
「現状受信不可状態」である場合（Ｓ８でＮＯ）には、ステップＳ４に戻り、以後同様の処理を行う。
【００３２】
ステップＳ４でＮＯの場合には、系列局サーチ・視聴の処理（Ｓ１８）を行う。この処理Ｓ１８は、例えば図４に示されるように行なわれるものであり、図２の「系列局サーチ５２」及びサーチにより検出された放送局の番組の視聴（「放送局Ａ視聴５１」及び「放送局Ｂ視聴５２のいずれか）に相当するものである。
選局制御部７は、チューナ・復調部１に指示してまず、その帯域のチャンネルのうち、チャンネル番号が最小値のチャンネルを選局し（Ｓ９）、選局された放送局からの信号を検査する（Ｓ１０）。信号中に含まれる情報から、選局した放送局が系列局かどうかの判定を行う（Ｓ１１）。例えば、デマルチプレクス部２で検出されるＴＳ中の番組配列情報(ＳＩ)のブロードキャスター・インフォーメーション・テーブル（ＢＩＴ（Ｂｒｏａｄｃａｓｔｅｒ  Ｉｎｆｏｒｍａｔｉｏｎ  Ｔａｂｌｅ）：ブロードキャスタの単位や、ブロードキャスタ単位毎のＳＩ伝送パラメータ等の指定）セクションにおける系列事業者識別（affiliation_id）のフィールド値により、その値が視聴中の番組と選局された放送局のチャンネルの番組で同一であれば、同じ系列の放送局であると判断するようにすればよい。
【００３３】
そして、検査された放送局が同系列の放送局ではない場合（Ｓ１１でＮＯ）には、更に選局したチャンネルがその帯域のチャンネルのうち、チャンネル番号が最大値のチャンネルになっているか否かを判断する(Ｓ１２)。
選局したチャンネルが、チャンネル番号が最大値のチャンネルではない場合（Ｓ１２でＮＯ）には、選局するチャンネルの番号を一つ繰り上げ（Ｓ１３）、ステップＳ１０に戻る。
ステップＳ１２で、選局したチャンネルがチャンネル番号が最大値のチャンネルである場合（Ｓ１２でＹＥＳ）には、ステップＳ９に戻り、ステップＳ９以下の処理を繰り返す。
【００３４】
ステップＳ１１で系列局が検出された場合（Ｓ１１でＹＥＳ）には、選局制御部７は、検出された系列局のチャンネル情報と、ステップＳ２で記憶された視聴中の番組の放送局のチャンネル情報とを同系列の放送局であるとして関連付けて系列局記憶部８に記憶させる(Ｓ１４)と共に、検出された系列局の番組を視聴させる（Ｓ１５）。
この処理は、例えば図２の「系列局サーチ５２」の状態から「放送局Ｂ層視聴５３」の状態への遷移５２Ａに相当する。
【００３５】
ステップＳ１５において、ステップＳ１１で検出された系列局の番組の視聴中にも、その系列局の番組が「現状受信可状態」であるか否かの判定を繰り返し行う（Ｓ１６）。
「現状受信不可状態」である場合（Ｓ１６でＮＯ）には、ステップＳ４に戻り、以後同様の処理を行う。
【００３６】
従来のデジタル放送受信装置では、視聴中の放送局の番組が受信不可になった場合に、全チャンネル帯域をサーチして同系列の放送局を検出していた。しかし、本実施の形態におけるその場合には、まず系列局記憶部８の過去の受信記録（チャンネル情報）を参照して同系列の放送局を直接に選局するので、例えばステップＳ６或いはステップＳ１６で受信可であった放送局の番組の視聴が不可となった場合には、同系列の放送局（これにはステップＳ１で視聴していた放送局も含まれる）の番組の視聴が可能である場合には、改めて全チャンネル帯域をサーチする場合に比べて、同じ番組の画像を表示させるまでの時間を短くすることができる。
【００３７】
言い換えれば、従来は、例えば図２の「放送局Ａ視聴５１」の状態で視聴が不可になった場合には、全ての場合で「系列局サーチ５２」の状態に遷移させてから、「放送局Ｂ視聴５３」の状態に遷移させていたが、本実施の形態では、系列局記憶部８に過去の系列局の受信記録（チャンネル情報）があれば、その場合には、「放送局Ａ視聴５１」の状態から直接に「放送局Ｂ視聴５３」の状態に遷移させることができる。従って、同じ番組の画像を表示させるまでの時間を短くすることができる。
【００３８】
系列局記憶部８に、複数の系列局が記憶されている場合には、上記のように、記憶されている系列局に優先順位を付ける必要があるが、その場合には、上記のように、現在受信中の放送局への近さの順に優先順位が付けられる。
【００３９】
そのような優先順位の付与のために、デジタル放送受信装置で現在視聴中の番組の放送局の識別情報、各デジタル放送局毎に分割されたサービス地域の割り当て情報（隣接情報を含む）、地域毎の識別情報等が必要になる。図５は、地上デジタル放送におけるサービスＩＤのビット構成を示す図であり、図６は、地上デジタル放送におけるサービスＩＤの地域識別フィールドの分類を示す図であり、図７は、地上デジタル放送における地域識別フィールドの地域割り当て状況を示す図である。
【００４０】
まず、現在視聴中の番組の放送局の識別情報、即ち、デジタル放送受信装置の現在位置がどの放送局のサービス地域内であるかを推定する。図５のサービスＩＤのビット配置では、１６ビットの構成でビット１５からビット１０までが地域識別コードのフィールドとなっており、その地域識別コードの値は全国の各放送局毎にユニークな値が割り当てられている。つまり、現在選局している放送局からの受信信号中からサービスＩＤを抽出し、さらに地域識別コードのフィールドの６ビットの値を抽出することで６４種類の地域識別値の何れかが得られる。
【００４１】
次に抽出された地域識別値の判断であるが、例えば図６を用いることにより、０から９が広域放送であり、１０から６３が県域（県内局）放送であることがわかる。さらに具体的には、例えば図７を用いることにより、地域識別コードが割り当てられている各地域を検出することができる。
【００４２】
本実施の形態では、図５〜図７を用いてデジタル放送受信装置で現在視聴中の番組の放送局の地域識別コードから、そのデジタル放送受信装置の現在位置が現在視聴中の番組の放送局のサービス地域内であることを推定し、次に、例えば図７の地域割り当て状況から、現在位置の放送局のサービス地域に隣接するサービス地域の地域識別コードを検出する。そして、系列局記憶部８に記憶された複数の系列局のサービスＩＤから、隣接するサービス地域を表す地域識別コードを含むサービスＩＤを有する放送局を検索する。又、その検索された放送局が複数である場合には、例えば検索された順に選局して、「現状受信可状態」であるか否かを判断し、「現状受信可状態」である系列局を視聴させる。
【００４３】
以上のように本実施の形態では、視聴中の番組の放送局の番組のチャンネル情報を記録しておき、その番組が視聴不可（受信不可）になったことからチャンネルサーチで系列局の番組を検出した場合に、その系列局の番組のチャンネル情報を、視聴中であった放送局の番組のチャンネル情報と系列関係であるものとして関連付けて記録しておく。その後、視聴中の番組の放送局の番組が再度視聴不可になった場合には、記録された系列局をチャンネル情報で選局し、逆に系列局の番組が視聴不可になった場合には、記録された元の放送局をチャンネル情報で選局することも有り得る。
【００４４】
従って、一旦選局されて系列関係が記録された放送局とその系列局の受信時には、「現状受信不可状態」になった場合に記録を自動的に参照することで従来のような受信周波数の全帯域をスキャンして系列局をチャンネルサーチする時間を省略することができ、番組視聴が中断される時間を短縮することができ、番組の継続視聴性を改善することができる。
特に、車等の移動体で相互に系列関係にある放送局のサービス地域の境界付近を移動する場合に、短時間で自動的に系列局に切り替えて従来のように系列局のチャンネルサーチを頻繁に実施しないようにできるので、番組の視聴中断時間を顕著に短縮でき、番組の継続視聴性も顕著に改善することができる。
【００４５】
又、本実施の形態のデジタル放送受信装置では、車等の移動体が移動した結果視聴中の番組が「現状受信不可状態」になった時に、使用者が操作することなしに自動的に系列局を選局することができる。
又、受信不可検出部６における検出の方法によっては受信不可になる直前等に他の系列局を自動的に選局することができる。
【００４６】
又、本実施形態のデジタル放送受信装置では、選局制御部７が、例えば、デマルチプレクス部２で検出されるＴＳ中の番組配列情報(ＳＩ)のブロードキャスター・インフォーメーション・テーブル（ＢＩＴ）セクションにおける系列事業者識別（affiliation_id）のフィールド値を用いて同系列の放送局をチャンネルサーチするので、受信不可になり視聴できなくなった番組と同一の番組が放送されている可能性が高い系列局を選局することができるので、同一番組を継続して視聴できる可能性を高くすることができる。
【００４７】
又、本実施形態のデジタル放送受信装置では、系列局記憶部８に複数の系列局が記録されている場合、系列局を検索する際に、現在視聴中の番組のサービスＩＤから現在視聴中の番組の放送局の地域識別コードを抽出してサービス地域を検出する。そしてそのサービス地域に隣接するサービス地域となるサービスＩＤを有する系列局のみを選局する。この処理により本実施形態のデジタル放送受信装置では、現在視聴中の番組の放送局のサービス地域にサービス地域が隣接していない無駄な系列局を検索して「現状受信可状態」であるか判断する時間を省略することができ、「現状受信可状態」である系列局の検出を短時間にすることができる。
【００４８】
実施の形態２．
上記した実施の形態１のデジタル放送受信装置では、受信不可になった場合に番組視聴が中断される時間を短縮して番組の継続視聴性を改善することができたが、例えば、トンネル等の電波の到達できない環境や電波が受信不良となる環境に移動した場合に、選局制御部７では受信レベルが低下したと判断し、系列局記憶部８に記憶された系列局への切替或いは系列局のチャンネルサーチを行ってしまうと言う問題がある。
【００４９】
例えばトンネル内などのように電波の到達できない環境に移動した場合に、全放送局が受信できないにもかかわらず、系列局記憶部８に記憶された系列局への切替或いは系列局のチャンネルサーチが行われる。その場合、例えば、系列局をチャンネルサーチしている最中にトンネルから出て、トンネルに入る前に視聴していた番組の放送局の電波が十分受信出来る環境であった場合には、系列局のチャンネルサーチでそのトンネルに入る前に視聴していた番組の放送局を検出するまでの時間が必要になる。
【００５０】
つまりチャンネルサーチを実施しないでトンネルに入る前の状態を維持していれば、トンネルから出てすぐに元の放送局の電波を受信して視聴を再開できたのが、チャンネルサーチで元の放送局が検出されるまでは視聴を再開できないことになり、余分な時間を要してしまうことになる。本実施の形態２では、このような無駄な動作を防止するものである。
【００５１】
図８は、この発明の実施の形態２に係るデジタル放送受信装置の概略の内部構成を示すブロック図である。
図８のデジタル放送受信装置の基本的な構成は図１に示した実施の形態１の構成と同様であるが、位置検出部９が追加されている点が異なる。
【００５２】
位置検出部９は、例えば、ＧＰＳ（Global  Positioning  System)の受信装置であり、ＧＰＳアンテナで受信された複数のＧＰＳ衛星からの電波信号が入力されて、その入力した電波信号に基づいてデジタル放送受信装置の現在位置を検出するものであり、その検出された現在位置を選局制御部７に出力したり、地図データ上に表示させることができる。
【００５３】
さらに本実施の形態の位置検出部９では、現在位置を検出するのみでなく、例えば、現在位置が、どの放送局の電波も受信できないようなトンネル内や、電波の受信強度に影響を与える（低下させる）構造物の影響範囲内であると判別した場合、選局制御部７に、デジタル放送受信装置の現在位置が受信不可地域にあること、即ち「受信不可の位置にあること」を通知することができる。
【００５４】
本実施の形態の選局制御部７は、位置検出部９から「受信不可の位置であること」の通知が受信されない場合には、図３及び図４に示した実施の形態１と同様な動作を行う。
【００５５】
しかし、位置検出部９から「受信不可の位置であること」の通知が受信された場合には、受信不可検出部６から「現状受信不可状態」の通知があっても、選局制御部７は、図３及び図４の動作における系列局の自動選局を行わないように動作する。つまり、受信不可の位置である場合には、選局制御部７は、系列局が未検出であってもチューナ・復調部１で系列局をチャンネルサーチを実施せず、又、系列局が検出済みであっても、系列局記憶部８から系列局を検索して選局する動作を実施しない。
【００５６】
このように本実施の形態のデジタル放送受信装置では、ＧＰＳ衛星からの電波を受信し現在位置を把握するようにしたので、例えばトンネル内などのように電波の到達できない環境に移動したとき、全放送局が受信できないにもかかわらず、系列局のサーチや検出済みの系列局への切替えが行われてしまう無駄な動作を防ぐことができる。より具体的には、トンネル等の電波の到達できない環境や電波が受信不良となる環境に移動した場合には、系列局が未検出であっても系列局をチャンネルサーチを実施せず、又系列局が検出済みであっても系列局を検索して選局する動作を実施しないで、視聴していた番組の選局状態を維持するので、電波の受信環境が良好な場所に移動した際に、電波の受信環境が悪くなる前に視聴していた番組の視聴を短時間で復帰させることができる。
【００５７】
実施の形態３．
従来のデジタル放送受信装置では、受信不可通知の入力時に、チャンネルサーチして系列局を検出し、受信できなくなった番組の番組タイトルと同じ番組タイトルの番組、又は、受信できなくなった番組のジャンルと同じジャンルの番組、又は、受信できなくなった番組の番組識別番号と同じ番組識別番の番組を選局するようにしている。
しかし、番組タイトルや番組のジャンルや番組識別番号だけでは、何れも受信不可通知の入力前と同じ番組を特定するためには十分な情報ではないので、受信不可通知の入力前と同じ番組を選局できない場合がある。
【００５８】
地上波のデジタル放送では、地域毎の特色が有る番組や、その地域限定情報を放送する場合があるので、系列局であってもニュースや天気予報等は必ずしも同一番組が同時刻に放送されているとは限らず、例えば、各放送局のサービス地域に限定のニュースを放送する場合がある。従って、従来のデジタル放送受信装置では、番組の名称は「昼のニュース」等で同じで、番組のジャンルも、「ニュース番組」で同じであっても、系列局をサーチする前に視聴していた番組と異なる場合がある。
【００５９】
番組識別番号は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）の地上デジタルテレビジョン放送運用規定ＴＲ−Ｂ１４におけるevent_idに対応するものであり、１サービス地域内で一意的に割り当てられるものであるので、放送局が異なれば違う番組であっても同じevent_idが割り振られるケースもあり得る。つまり、同じ番組識別番号の系列局を選んでも、同じ番組を選局できない場合が有る。
【００６０】
視聴中だった放送局の番組と、受信不可通知により選局された系列局の番組が同一であるかの判断は、従来は、例えば、番組のＰＳＩの中から番組の名称（タイトル）で判断しており、上記した実施の形態１ではブロードキャスター・インフォーメーション・テーブル（ＢＩＴ）セクションにおける系列事業者識別（affiliation_id）のフィールド値により系列放送局であるか否かの判断をし、間接的に番組が同一であるかを判断している。本実施の形態では番組の同一性の判断をより確実に行うことができるようにしたものである。
【００６１】
図９は、この発明の実施の形態３のデジタル放送受信装置における選局制御部７の選局動作の状態遷移図である。
実施の形態３におけるデジタル放送受信装置では、実施の形態２の図８の構成における選局制御部７の動作が、図２に示した状態遷移の動作ではなく、図９に示した状態遷移の動作となる点が異なっている。
【００６２】
図９において、「番組Ａ視聴６１」の状態と「番組Ｂ視聴６２」の状態は、同系列ではあるが各々別の放送局（チャンネル）で同一時刻に放送されている同一番組を視聴している状態を示している。図９の「番組Ａ視聴６１」の状態の場合で、実施の形態１と同様に受信不可検出部６が「現状受信不可状態」であることを検出した場合には、選局制御部７に「受信不可通知」が入力される。
【００６３】
選局制御部７では、視聴中の番組のＳＩの中から予めイベント・インフォメーション・テーブル（ＥＩＴ（Ｅｖｅｎｔ  Ｉｎｆｏｒｍａｔｉｏｎ  Ｔａｂｌｅ））セクションの情報（番組の名称、放送日時、内容の説明等の番組に関する情報）を検出しておき、検出された各系列局のＳＩから、現在視聴中だったその番組のＥＩＴと同一のフィールド値を有する系列局が存在するか否かを判断し、存在する場合に該当チャンネルを選局して同一番組を視聴させる。このようにして「番組Ｂ視聴６２」の状態に遷移する（６１Ａ）。
【００６４】
「番組Ｂ視聴６２」の状態の場合でも同様の処理、判断により、「番組Ａ視聴６１」の状態に遷移する（６２Ａ）。
即ち、状態６１と状態６２の間の遷移６１Ａ、６２Ａの条件は、現在の状態（６１又は６２）において、現状受信不可であり、番組Ａと番組Ｂが同一番組であること、即ち、両番組の番組詳細情報が同一で、同一時刻の番組であることである。
【００６５】
ここでＰＳＩ／ＳＩを用いて同一番組を判別するためには、例えば、ＥＩＴセクション中の短形式イベント記述子におけるevent_name_char（番組名）のフィールド値、text_char（番組記述）のフィールド値を比較することにより判別される。番組名のフィールド値の比較では、番組名が比較されることで同一番組が判別され、さらにＰＳＩ／ＳＩ中の番組記述（番組の概要説明や、出演者等）が比較されることにより、同一番組をより高い精度で判別することができる。
【００６６】
又、実施の形態２の図８のように位置検出部９を有し、その位置検出部９により現在位置が受信不可地域であることが検出された場合には、選局制御部７は、図９の状態遷移図において、「番組Ａ視聴６１」と「番組Ｂ視聴６２」間の同一番組への状態遷移（自動選局）は実施されないように動作する。
【００６７】
以上のように本実施の形態では、視聴中の番組が受信できなくなった場合か受信できなくなると判断された場合に、予め検出された各放送局のＰＳＩ／ＳＩ中の番組記述（番組の概要説明や、出演者等）を利用して、視聴できなくなった番組と同じＰＳＩ／ＳＩを有する番組（同一番組）を選局するため、番組タイトルや番組ジャンル及び番組識別を使用し同一番組を検出する場合に比べて、同一番組を検出する精度を高めることができる。
【００６８】
例えば、番組がニュースや天気予報等の場合には、系列外の放送局とタイトルが類似する場合も多く、毎日同じタイトルで放送されることが多いので、タイトルだけでは各々を区別できないケースがある。そのような場合でも本実施の形態では、ＰＳＩ／ＳＩに含まれる登場人物や概要説明を用いるので番組の同一性の判断が正確になり、系列局の検出精度を改善することができる。
【００６９】
実施の形態４．
図１０は、この発明の実施の形態４に係るデジタル放送受信装置の概略の内部構成を示すブロック図である。
図１０のデジタル放送受信装置の基本的な構成は図１に示した実施の形態１の構成と同様であるが、本実施の形態のデジタル放送受信装置は、固定受信機向けに意図されてノイズやマルチパスには弱いが画質、音質が良い弱階層伝送の番組の受信信号と、移動体に搭載され、又は使用者に携帯されるデジタル放送受信機向けに意図されてノイズやマルチパスに強い強階層伝送の番組の受信信号の双方の信号を受信し、選局制御部７から番組を受信する信号の強階層／弱階層の切替指示がデマルチプレス部２と映像／音声デコード部３に供給される点が異なる。
【００７０】
強階層伝送の番組の受信信号は、ノイズやマルチパスへの耐性があるがビットレートが低く、伝送されるコンテンツは、簡易動画及び簡易音声の形式で伝送される。一方、弱階層伝送の番組の受信信号は、本来固定受信機向けのものでビットレートが高く、高画質の動画、高音質の音声が伝送される。強階層伝送と弱階層伝送では映像／音声圧縮方式は各々異なっている。
【００７１】
例えば、強階層に相当する１セグ放送では、動画圧縮方式としてはＨ．２６４／ＡＶＣ（ＭＰＥＧ−４  Ｐａｒｔ１０：Ａｄｖａｎｃｅｄ  Ｖｉｄｅｏ  Ｃｏｄｉｎｇ：  ＭＰＥＧはＭｏｖｉｎｇ  Ｐｉｃｔｕｒｅ  Ｅｘｐｅｒｔｓ  Ｇｒｏｕｐ）の符号化方式が採用され、音声圧縮方式としてはＡＡＣ（Ａｄｖａｎｃｅｄ  Ａｕｄｉｏ  Ｃｏｄｉｎｇ）＋ＳＢＲ（Ｓｐｅｃｔｒａｌ  Ｂａｎｄ  Ｒｅｐｌｉｃａｔｉｏｎ：スペクトル再生）の方式が採用されている。
一方、固定受信機向けの弱階層の放送では、動画圧縮方式としては、ＭＰＥＧ２の符号化方式が採用され、音声圧縮方式としては、ＡＡＣが採用されている。
【００７２】
図１０における映像／音声デコード部３は、上記したような強階層又は弱階層で伝送される動画圧縮方式及び音声圧縮方式に対応する復号が可能であるように構成される。
【００７３】
チューナ・復調部１からは、同一チャンネル内の弱階層伝送用データと強階層伝送用データが多重化されたデータがデマルチプレクス部２に出力される。
チューナ・復調部１では、同一チャンネル内の強階層伝送の番組と弱階層伝送の番組を切り替える選局は実施されないが、視聴するサービスについては使用者の指定により強階層伝送の番組と弱階層伝送の番組で切り替える必要があるため、選局制御部７からデマルチプレクス部２には、強階層伝送／弱階層伝送の番組切替指示が通知される。その結果、デマルチプレクス部２からは、映像／音声デコード部３に対して、使用者に指定された階層伝送に含まれる映像ストリーム／音声ストリームが出力される。
【００７４】
映像／音声デコード部３では、入力する映像ストリーム／音声ストリームに対して、選局制御部７からの強階層伝送／弱階層伝送の番組切替指示により、対応する映像ストリーム／音声ストリームの各データの復号処理を行い、映像表示部４に復号された映像信号データを出力すると共に、音声出力部５に復号された音声信号データを出力し、映像表示部４で映像を表示させ、音声出力部５で音声を出力させる。
【００７５】
受信不可検出部６には、チューナ・復調部１から受信レベル、受信Ｃ／Ｎ比情報、ＰＬＬロック情報、フレームロック情報、誤り率情報等が通知される。
さらにデマルチプレクス部２からは、ＰＡＴ、ＰＭＴが所定の時間間隔で到来しなかった場合に、ＰＡＴ途絶通知、及びＰＭＴ途絶通知が受信不可検出部６に通知される。又、ＴＳから１８８バイト毎に同期バイトが検出されない場合には、同期はずれの通知が通知される。さらに、ＴＳパケットのヘッダ中に存在する連続性カウンタ値の不連続を検出した際に、パケット損失の通知がなされる。
又、映像／音声デコード部３からは、デコードエラー検出時にエラー通知、もしくはエラー率が所定値未満となったことが受信不可検出部６に通知される。
【００７６】
これらの通知された情報から受信不可検出部６は、「現状受信不可状態」であるか否かを判断し、「現状受信不可状態」であると判断した場合、選局制御部７に受信不可通知を行う。選局制御部７は、以下に示す図１１の状態遷移の動作となるように、チューナ・復調部１への選局指示を出力し、デマルチプレクス部２及び映像／音声デコード部３に強階層伝送／弱階層伝送の番組切替指示を出力する。
【００７７】
図１１は、この発明の実施の形態４における選局制御部７の選局動作の状態遷移図である。
図１１において、「放送局Ａの弱階層視聴７１」の状態は、放送局Ａの弱階層伝送番組を視聴している状態であり、「放送局Ａの強階層視聴７２」の状態は、放送局Ａの強階層伝送番組を視聴している状態である。「放送局Ｂの弱階層視聴７３」の状態は、放送局Ｂの弱階層伝送番組を視聴している状態であり、「放送局Ｂの強階層視聴７４」の状態は、放送局Ｂの強階層伝送番組を視聴している状態である。
又、放送局Ａと放送局Ｂは互いに系列局の関係であり、各放送局で視聴される番組は、全て同一時刻に放送されている同一番組である。
【００７８】
「系列局サーチ７５」の状態は、放送局Ａ又はＢの系列局を、例えば物理周波数の低いチャンネルから順にチャンネルサーチして系列局を選局している状態である。
「放送局Ａの弱階層視聴７１」の状態から「放送局Ａの強階層視聴７２」の状態への遷移７１Ａの条件は、放送局Ａの弱階層伝送の番組が「現状受信不可状態」であることである。
「放送局Ａの強階層視聴７２」の状態から「放送局Ｂの弱階層視聴７３」の状態への遷移７２Ａの条件は、放送局Ａの強階層伝送の番組が「現状受信不可状態」であり、かつ系列局として放送局Ｂが検出済みであることである。
「放送局Ａの強階層視聴７２」の状態から「系列局サーチ７５」の状態への遷移７２Ｂの条件は、放送局Ａの強階層伝送の番組が「現状受信不可状態」であり、かつ系列局が未検出であることである。
「放送局Ａの強階層視聴７２」の状態から「放送局Ａの弱階層視聴７１」の状態への遷移７２Ｃの条件は、受信状況が改善して、放送局Ａの弱階層伝送の番組が「現状受信可状態」となったことである。
「放送局Ｂの弱階層視聴７３」の状態から「放送局Ｂの強階層視聴７４」の状態への遷移７３Ａの条件は、放送局Ｂの弱階層伝送の番組が「現状受信不可状態」であることである。
「放送局Ｂの強階層視聴７４」の状態から「放送局Ａの弱階層視聴７１」の状態への遷移７４Ａの条件は、放送局Ｂの強階層伝送の番組が「現状受信不可状態」であり、かつ系列局として放送局Ａが検出済みであることである。
「放送局Ｂの強階層視聴７４」の状態から「系列局サーチ７５」の状態への遷移７４Ｂの条件は、放送局Ｂの強階層伝送の番組が「現状受信不可状態」であり、かつ系列局が未検出であることである。
「放送局Ｂの強階層視聴７４」の状態から「放送局Ｂの弱階層視聴７３」の状態への遷移７４Ｃの条件は、受信状況が改善して、放送局Ｂの弱階層伝送の番組が「現状受信可状態」となったことである。
「系列局サーチ７５」の状態から、「放送局Ｂの弱階層視聴７３」の状態への遷移７５Ａの条件は、系列局サーチにより放送局Ｂが系列局として検出され、「現状受信可状態」であることである。
「系列局サーチ７５」の状態から、「放送局Ａの弱階層視聴７１」の状態への遷移７５Ｂの条件は、系列局サーチにより放送局Ａが系列局として検出され、「現状受信可状態」であることである。
【００７９】
図１２、図１３及び図１４は、この発明の実施の形態４における選局制御部７の動作フロー図である。
以下に、図１２、図１３及び図１４を用いて選局制御部７の動作を説明する。
まず、デジタル放送受信装置が、選局制御部７の指示により一つの放送局（例えば図１１に示された２つ放送局の一方の放送局Ａ）の弱階層伝送の番組を視聴している状態（例えば図１１の「放送局Ａの弱階層視聴７１」の状態）であるとする（Ｓ２１）。
この場合、選局制御部７は、その視聴中の番組の放送局の少なくともチャンネル情報を系列局記憶部８又は他の記憶部に記憶させる（Ｓ２２)。
【００８０】
上記したステップＳ２１の状態で選局制御部７は、受信不可検出部６から「受信不可通知」を受信したか否か、即ち、「現状受信可状態」であるか否かを判断する（Ｓ２３）。「現状受信可状態」である（「受信不可通知」を受信していない）場合（Ｓ２３でＹＥＳ）には、ステップＳ２１に戻って同じ局の弱階層伝送の番組の視聴を継続する。
現状受信不可状態である（「受信不可通知」を受信している）場合（Ｓ２３でＮＯ）には、同じ局の強階層伝送の番組を視聴させる（Ｓ２４）。これは、例えば図１１の「放送局Ａの弱階層視聴７１」の状態から「放送局Ａの強階層視聴７２」の状態への遷移７１Ａに相当する。
強階層視聴中にも、選局制御部７は、受信不可検出部６から「受信不可通知」を受信したか否か、即ち、「現状受信可状態」であるか否かを判断する（Ｓ２５）。
【００８１】
強階層伝送の番組が「現状受信可状態」である場合（Ｓ２５でＹＥＳ）には、選局制御部７は、ステップＳ３４に進んで同じ局の弱階層伝送の番組の受信が可能であるか否か、即ち、「現状受信可状態」であるか否かを判断する（Ｓ３４）。同じ局の弱階層伝送の番組の受信が可能である場合（Ｓ３４でＹＥＳ）には、ステップＳ２１に戻って当該同じ局の弱階層伝送の番組を視聴させる。
ステップＳ３４で、弱階層伝送の番組の受信が不可である場合（Ｓ３４でＮＯ）には、ステップＳ２４に戻って強階層伝送の番組の視聴を継続させる。
ステップＳ２５で強階層伝送の番組が、「現状受信不可状態」である場合（Ｓ２５でＮＯ）には、選局制御部７は、系列局記憶部８に同じ系列の他の放送局のチャンネル情報が記憶されているか否かを判断する（図１３のＳ２６）。
【００８２】
ステップＳ２５において、系列局記憶部８に同じ系列の他の放送局のチャンネル情報が記憶されていた場合（Ｓ２６でＹＥＳ）には、選局制御部７は、その同系列の放送局を選局させる(Ｓ２７)。そして、受信不可検出部６から当該放送局の弱階層伝送の番組が「受信可状態」かどうか、即ち該番組について「受信不可通知」を受信したか否か否かを判断する（Ｓ２８）。
【００８３】
系列記憶部８に同じ系列の複数の放送局のチャネル情報が記憶されている場合には、ステップＳ２７においては、上記複数のチャネル情報のうちの優先度の高いもの、即ち、優先順位が１番目のものを選局する。この場合、例えば、視聴していた放送局からの番組の受信信号から得られるサービスＩＤの地域識別値の地域識別値で特定される地域の隣接地域の地域識別コードを求め、系列局記憶部８に記憶された複数の系列局のうち、視聴中の番組の受信信号の放送局の隣接地域（求められた地域識別コードで特定される）に配置された放送局のうちの最も近いものの優先順位を１番目とし、他のものは近さの順に優先順位を決める。
【００８４】
ステップＳ２８で「現状受信可状態」である場合（Ｓ２８でＹＥＳ）には、その系列局の弱階層伝送の番組を視聴させる（Ｓ２９）。
これは、例えば、図１１「放送局Ａの強階層視聴７２」の状態から「放送局Ｂの弱階層視聴７３」の状態への遷移７２Ａに相当する。
選局制御部７は、その放送局の弱階層伝送の番組を視聴中にも受信不可検出部６から「受信不可通知」を受信したか否かの判断を継続して（繰り返し）行う（Ｓ３０）。
【００８５】
ステップＳ３０で、視聴中の放送局の弱階層伝送の番組の受信が不可である場合（Ｓ３０でＮＯ）には、同じ局の強階層伝送の番組を視聴させる（Ｓ３１）。
これは、例えば図１１の「放送局Ｂの弱階層視聴７３」の状態から「放送局Ｂの強階層視聴７４」の状態への遷移７３Ａに相当する。
【００８６】
ステップＳ２８で「現状受信不可状態」である場合（Ｓ２８でＮＯ）にも、ステップＳ３１に進み、選局制御部７は、同じ放送局の強階層伝送の番組を視聴させる。
選局制御部７は、その放送局の強階層伝送の番組を視聴中にも受信不可検出部６から受信不可通知を受信したか否か、即ち、「現状受信可状態」であるか否かを判断する（Ｓ３２）。
「現状受信可状態」である場合（Ｓ３２でＹＥＳ）には、同じ放送局の弱階層伝送の番組の受信が「現状受信可状態」であるか否かを判断する（Ｓ３３）。「現状受信不可状態」である場合（Ｓ３３でＮＯ）には、ステップＳ３１に戻って、その放送局の強階層伝送の番組の視聴を継続する。
「現状受信可状態」である場合（Ｓ３３でＹＥＳ）には、ステップＳ２９に戻って、その放送局の弱階層伝送の番組を視聴させる。
【００８７】
ステップＳ３２で「現状受信不可状態」場合（Ｓ３２でＮＯ）には、その受信不可と判断された系列局）を除外し（Ｓ４６）、それ以外に系列記憶部８に同じ系列局の放送局のチャンネル情報が記憶されているかどうかの判定を行う（Ｓ２６）。
ステップＳ４６を経た後のステップＳ２６でＹＥＳであれば、ステップＳ２７に進むが、この場合、ステップＳ４６の処理で除外された系列局以外の系列局の中で優先順位の最も高いものを選択する。
【００８８】
複数の系列局のすべてについて、ステップＳ３２の判定における答えがすべてＮＯであった場合には、その次に行われるステップＳ２６の判定で答えがＮＯとなる。最初のステップＳ２６の判定で、系列局が１つしか記憶されていない場合には、その後ステップＳ２８〜Ｓ３２を経て最初にステップＳ２６の判定を行う際、答えがＮＯとなる。
【００８９】
ステップＳ２６でＮＯの場合には、「系列局サーチ・視聴」の処理Ｓ４８を行う。この処理Ｓ４８は、例えば図１４に示されるように行なわれるものであり、図１１の「系列局サーチ７５」及びサーチにより検出された放送局の番組の視聴に相当するものである。
選局制御部７は、図１１のチューナ・復調部１に指示してまず、その帯域のチャンネルのうち、チャンネル番号が最小値のチャンネルを選局させ（Ｓ３５）、選局された放送局からの信号に含まれる情報を検査する（Ｓ３６）。信号中に含まれる情報から、選局した放送局が系列局かどうかの判定を行う（Ｓ３７）。この判定は、例えば実施の形態１と同様な方向で行い得る。
【００９０】
そして、検査した放送局が同系列の放送局ではない場合（Ｓ３７でＮＯ）には、次に選局したチャンネルがその帯域のチャンネルのうち、チャンネル番号が最大値のチャンネルになっているか否かを判断する(Ｓ３８)。
選局したチャンネルが、チャンネル番号が最大値のチャンネルではない場合（Ｓ３８でＮＯ）には、選局するチャンネルを一つ繰り上げ（Ｓ３９）、ステップＳ３６に戻る。
ステップＳ３８で、選局したチャンネルがチャンネル番号が最大値のチャンネルである場合（Ｓ３８でＹＥＳ）には、ステップＳ３５に戻り、ステップＳ３５以下の処理を繰り返す。
【００９１】
ステップＳ３７で系列局が検出された場合（Ｓ３７でＹＥＳ）には、選局制御部７は、検出された系列局のチャンネル情報と、ステップＳ２２で記憶された視聴中の番組の放送局のチャンネル情報とを同系列の放送局であるとして関連付けて系列局記憶部８に記憶させる(Ｓ４０)と共に、検出された系列局の弱階層伝送の番組を視聴させる（Ｓ４１）。
この処理は、例えば、図１１の「系列局サーチ７５」の状態から「放送局Ｂの弱階層視聴７３」の状態への遷移７５Ａに相当する。
【００９２】
ステップＳ４１で弱階層伝送の番組の視聴中にも、その同じ放送局の弱階層伝送の番組が「現状受信可状態」である否かを判断を継続して（繰り返し）行う（Ｓ４２）。
ステップＳ４２で「現状受信不可状態」である場合（Ｓ４２でＮＯ）には、同じ放送局の強階層伝送の番組を視聴させる（Ｓ４３）。
これは、例えば図１１の「放送局Ｂの弱階層視聴７３」の状態から「放送局Ｂの強階層視聴７４」の状態への遷移７３Ａに相当する。
そして、選局制御部７は、強階層伝送の番組を視聴中にも「現状受信可状態」であるか否かを判断を継続して（繰り返し）行う（Ｓ４４）。
「現状受信可状態」である場合（Ｓ４４でＹＥＳ）には、同じ放送局の弱階層伝送の番組の受信が「現状受信可状態」であるか否かを判断する（Ｓ４５）。
ステップＳ４５で「現状受信不可状態」である場合（Ｓ４５でＮＯ）には、ステップＳ４３に戻って、強階層伝送の番組の視聴を継続させる。
【００９３】
ステップＳ４５で、「現状受信可状態」である場合（Ｓ４５でＹＥＳ）には、ステップＳ４１に戻って、その放送局の弱階層伝送の番組を視聴させる。
この処理は例えば、図１１の「放送局Ｂの強階層視聴７４」の状態から「放送局Ｂの弱階層層視聴７３」の状態への遷移７４Ｃに相当する。
ステップＳ４４で「現状受信不可状態」である場合（Ｓ４４でＮＯ）には、図１３のステップＳ２６に戻る。
【００９４】
本実施の形態では、「放送局Ａの弱階層視聴７１」の状態である場合に、実施の形態４に記載したのと同様に受信不可検出部６が「現状受信不可状態」を検出した場合には、受信不可通知が選局制御部７に送信される。
【００９５】
受信不可検出部６から受信不可通知を受信した選局制御部７は、デマルチプレクス部２及び映像／音声デコード部３に強階層伝送／弱階層伝送の番組切替指示を通知し、図１１の「放送局Ａの強階層視聴７２」の状態に遷移させて、放送局Ａの強階層伝送による番組を視聴させる。図１１の「放送局Ａの強階層視聴７２」の状態で、更に受信不可検出部６から受信不可通知を受信した場合で、系列局が未検出の場合には、選局制御部７は「系列局サーチ７５」の状態に遷移し、系列局のサーチを行う。系列局の検出においては、実施の形態１と同様に、例えば、デマルチプレクス部２で検出されるＴＳ中の番組配列情報(ＳＩ)のブロードキャスター・インフォーメーション・テーブル（ＢＩＴ）セクションにおける系列事業者識別（affiliation_id）のフィールド値が同一であれば系列局と判断すればよい。
【００９６】
図１１の「系列局サーチ７５」の状態で系列局の検出ができた場合には、選局制御部７は放送局Ａと放送局Ｂが系列局であることを図１０の系列局記憶部８に記録し、「放送局Ｂの弱階層視聴７３」の状態に遷移する。「放送局Ｂの弱階層視聴７３」の状態において受信不可通知を受信した場合、選局制御部７は、デマルチプレクス部２及び映像／音声デコード部３に強階層伝送／弱階層伝送の番組切替指示を通知し、図１１の「放送局Ｂの強階層視聴７４」の状態に遷移させて、放送局Ｂの強階層伝送を視聴させる。
【００９７】
この「放送局Ｂの強階層視聴７４」の状態で受信不可検出部６から受信不可通知を受信した場合、選局制御部７は、放送局Ｂの系列局は放送局Ａであることが、系列局記録部８を参照することによりわかるため、再度「系列局サーチ７５」を実施するのではなく、系列局である放送局Ａを選局し、「放送局Ａの弱階層視聴７１」の状態に直接に遷移する。
【００９８】
その後、「放送局Ａの弱階層視聴７１」の状態になっても放送局Ａが受信できない場合には、「放送局Ａの強階層視聴７２」の状態に遷移し、この「放送局Ａの強階層視聴７２」の状態で受信不可検出部６から受信不可通知を受信した場合には、系列局が未検出の場合には「系列局サーチ７５」の状態に遷移させて、改めて系列局サーチを実施する。
【００９９】
また、系列局記憶部８に複数の系列局が記録されていた場合、実施の形態１と同様に現在視聴中だったサービスＩＤに含まれる地域識別値で特定される地域に隣接する地域の地域識別コードを求め、求めた地域識別コードを含むサービスＩＤを持つ放送局を系列局記憶部８から検索する。その後、検索された放送局を順に選局し「現状受信可状態」の系列局を視聴させる。
【０１００】
また、図１１の強階層伝送番組を視聴している「放送局Ａの強階層視聴７２」の状態及び「放送局Ｂの強階層視聴７４」状態において、チューナ・復調部１からの受信レベル情報、受信Ｃ／Ｎ比情報、ＰＬＬロック情報、フレームロック情報、誤り率の情報、デマルチプレクス部２からのＰＡＴ、ＰＭＴ途絶通知、ＴＳ同期はずれ、及びパケット損失通知、さらに映像／音声デコード部３からのエラー通知もしくはエラー率が受信不可検出部６に通知され、その各通知から、受信不可検出部６は受信状況が改善されたことを検出することができる。その受信状況の改善が検出された場合には、受信不可検出部６は選局制御部７に受信改善通知を送信する。
【０１０１】
この受信改善通知が受信されることにより選局制御部７は、強階層伝送／弱階層伝送の番組切替指示をデマルチプレクス部２及び映像／音声デコード部３に送信し、弱階層伝送番組を視聴させるように動作する。
その結果、放送局Ａの強階層視聴状態から放送局Ａの弱階層視聴状態へ、又は放送局Ｂの弱階層視聴から放送局Ｂの弱階層視聴状態にそれぞれ遷移する。
【０１０２】
本実施の形態では、視聴中だった弱階層伝送の番組が視聴できないと判断した場合には、よりノイズ、マルチパスによる影響の少ない強階層伝送番組に自動的に切替え、簡易映像、音声を視聴させることで同一番組を継続して視聴できる確率を高くすることができる。
【０１０３】
また、強階層伝送と弱階層伝送で伝送される番組は、通常、チューナ・復調部１から一つのＴＳに多重されて出力されるため、弱階層伝送と強階層伝送間の切替は、チューナ・復調部１を制御して受信放送局を切り替える必要がないため、番組切替時間を短くでき、視聴が中断される時間を短縮することができる。
【０１０４】
また、強階層伝送の番組も「現状受信不可状態」になった場合には、上記した各実施の形態と同様に受信していた放送局の系列局を自動で選局することができる。上記した実施の形態で説明したように、系列局の番組は、「現状受信不可状態」になり視聴できなくなった番組と同一の番組である可能性が高いので、同一番組を継続して視聴できる可能性も高くすることができる。
【０１０５】
また、弱階層伝送の番組が「現状受信不可状態」となり強階層伝送の番組を選局している場合であっても、受信状況の改善を常時検出しており、改善された場合には、再度、弱階層伝送の高画質、高音質の番組を自動的に視聴できる。従って、強階層伝送の番組を選局中に受信状況が改善し、高画質、高音質で番組視聴できるにもかかわらず、強階層伝送の番組の視聴を続けてしまう事態を防止することができる。
【０１０６】
このように本実施の形態では、上記した実施の形態１〜３の系列局の自動選局に、弱階層伝送の番組と強階層伝送の番組の自動切替を組み合わせて、自動的に系列局の選局と階層の切替を行うので、番組の視聴中断時間を実施の形態１よりも短縮できる。
【０１０７】
特に、車等の移動体で相互に系列関係にある放送局のサービス地域の境界付近を移動する場合には、番組の視聴中断時間を実施の形態１よりも短縮でき、番組の継続視聴性もより改善することができる。
【０１０８】
実施の形態５．
上記した実施の形態４のデジタル放送受信装置では、受信不可になった場合に番組視聴が中断される時間を実施の形態１よりも短縮して番組の継続視聴性を改善することができたが、例えば、トンネル等の電波の到達できない環境や電波が受信不良となる環境に移動した場合に、選局制御部７では受信レベルが低下したと判断し、系列局をチャンネルサーチしてしまうなどの問題を解決することができなかった。
【０１０９】
この電波の到達できない環境や電波が受信不良となる環境で系列局のチャンネルサーチなどを行ってしまうと言う問題については、実施の形態１に対しては実施の形態２で改善していた。以下に、実施の形態４に対して上記問題を改善する実施の形態５のデジタル放送受信装置について説明する。
【０１１０】
図１５は、この発明の実施の形態５に係るデジタル放送受信装置の概略の内部構成を示すブロック図である。
図１５のデジタル放送受信装置の基本的な構成は図１０に示した実施の形態４の構成と同様であるが、位置検出部９が追加されている点が異なる。
【０１１１】
位置検出部９の構成及び動作については、実施の形態２に詳しく説明しているのでここでは説明を省略する。
【０１１２】
本実施の形態の選局制御部７は、位置検出部９から「受信不可の位置であること」の通知が受信されない場合には、図１２、図１３及び図１４に示した実施の形態４と同様な動作を行う。
【０１１３】
しかし、位置検出部９から「受信不可の位置であること」の通知が受信された場合には、受信不可検出部６から「現状受信不可状態」の通知があっても、選局制御部７は、図１２、図１３及び図１４の動作における「放送局Ａの弱階層視聴７１」の状態、「放送局Ａの強階層視聴７２」の状態、「放送局Ｂの弱階層視聴７３」の状態、「放送局Ｂの強階層視聴７４」の状態、「系列局サーチ７５」の状態から、それぞれ自動では状態遷移を行わないように動作する。つまり、図１１における階層の変更となる状態遷移も系列局の自動選局の状態遷移も行わないように動作する。つまり、受信不可の位置である場合には、選局制御部７は、弱階層伝送の番組に「現状受信不可状態」の通知があって強階層伝送の番組に状態遷移せず、系列局が未検出であってもチューナ・復調部１で系列局をチャンネルサーチを実施せず、又、系列局が検出済みであっても、系列局記憶部８から系列局を検索して選局する動作を実施しない。
【０１１４】
このように本実施の形態のデジタル放送受信装置では、実施の形態２と同様に全放送局が受信できないにもかかわらず、同放送局の受信信号の階層の変更や、系列局のサーチが行われてしまう無駄な動作を防ぐことができ、電波の受信環境が良好な場所に移動した際に、電波の受信環境が悪くなる前に視聴していた番組の視聴を短時間で復帰させることができる。
【０１１５】
実施の形態６．
実施の形態６のデジタル放送受信装置をブロック図で表すと図１０のようになる。
【０１１６】
図１６は、この発明の実施の形態６における選局制御部７の選局動作の状態遷移図である。
図１６において、「放送局Ａの弱階層視聴８１」の状態は、放送局Ａの弱階層伝送番組を視聴している状態であり、「放送局Ａの強階層視聴８２」の状態は、放送局Ａの強階層伝送番組を視聴している状態である。「放送局Ｂの弱階層視聴８３」の状態は、放送局Ｂの弱階層伝送番組を視聴している状態であり、「放送局Ｂの強階層視聴８４」の状態は、放送局Ｂの強階層伝送番組を視聴している状態である。又、放送局Ａと放送局Ｂは互いに系列局の関係であり、各放送局で視聴される番組は、全て同一時刻に放送されている同一番組である。
【０１１７】
本実施の形態は、実施の形態４に示された放送局Ａ又はＢの系列局をチャンネルサーチして選局する「系列局サーチ」の状態が無い点で異なっている。
本実施の形態では、「放送局Ａの弱階層視聴８１」の状態である場合に、実施の形態４に記載したのと同様に受信不可検出部６が「現状受信不可状態」を検出した場合には、受信不可通知が選局制御部７に送信される。
【０１１８】
受信不可検出部６から受信不可通知を受信した選局制御部７は、デマルチプレクス部２及び映像／音声デコード部３に強階層伝送／弱階層伝送の番組切替指示を通知し、図１６の「放送局Ａの強階層視聴８２」の状態に遷移させて（８１Ａ）、放送局Ａの強階層伝送による番組を視聴させる。図１６の「放送局Ａの強階層視聴８２」の状態で、更に受信不可検出部６から受信不可通知を受信した場合には、選局制御部７は、予め、ＳＩ情報中のＥＩＴ（Ｅｖｅｎｔ  Ｉｎｆｏｒｍａｔｉｏｎ  Ｔａｂｌｅ）セクションから取得しておいたフィールド値の中から、視聴中だった放送局の弱階層伝送の番組と同一のＥＩＴセクションのフィールド値を有する弱階層伝送の番組が現在の時点で検出できれば、放送局Ａと放送局Ｂが系列局であることを図１０の系列局記憶部８に記録し、該当サービスを選局する。つまり、「放送局Ｂの弱階層視聴８３」の状態に遷移する（８２Ａ）。
【０１１９】
「放送局Ｂの弱階層視聴８３」の状態でさらに受信不可検出部６から受信不可通知を受信した場合は、選局制御部７は、デマルチプレクス部２及び映像／音声デコード部３に強階層伝送／弱階層伝送の番組切替指示を通知し、図１６の「放送局Ｂの強階層視聴８４」の状態に遷移させて（８３Ａ）、放送局Ｂの強階層伝送を視聴させる。
【０１２０】
この「放送局Ｂの強階層視聴８４」の状態で受信不可検出部６から受信不可通知を受信した場合、選局制御部７は、放送局Ｂの系列局は放送局Ａであることが、系列局記録部８を参照することによりわかるため、系列局である放送局Ａを選局し、「放送局Ａの弱階層視聴８１」の状態に遷移する（８４Ａ）。
【０１２１】
ここで同一番組を判別するのに用いるＳＩのフィールド値としては、例えば、ＥＩＴセクション中の短形式イベント記述子におけるevent_name_char（番組名）のフィールド値、text_char（番組記述）のフィールド値を用いて、その各フィールド値を比較して一致をチェックすることにより判別すればよい。この比較ではＰＳＩ／ＳＩの番組名だけでなく番組記述についても一致がチェックされるため、番組の概要説明や出演者等についても一致することになり、系列局の番組が同一番組である確率を高めることができる。
【０１２２】
又、系列局記憶部８に複数の系列局が記録されていた場合、実施の形態１と同様に現在視聴中だったサービスＩＤに含まれる地域識別値で特定される地域に隣接する地域の地域識別コードを求め、求めた地域識別コードを含むサービスＩＤを持つ放送局を系列局記憶部８から検索する。その後、検索された放送局を順に選局し「現状受信可状態」な系列局を視聴させる。
【０１２３】
又、図１６の強階層伝送番組を視聴している「放送局Ａの強階層視聴８２」の状態及び「放送局Ｂの強階層視聴８４」状態において、チューナ・復調部１からの受信レベル情報、受信Ｃ／Ｎ比情報、ＰＬＬロック情報、フレームロック情報、誤り率の情報、デマルチプレクス部２からのＰＡＴ、ＰＭＴ途絶通知、ＴＳ同期はずれ、及びパケット損失通知、さらに映像／音声デコード部３からのエラー通知もしくはエラー率が受信不可検出部６に通知され、その各通知から、受信不可検出部６は受信状況が改善されたことを検出することができる。その受信状況の改善が検出された場合には、受信不可検出部６は選局制御部７に受信改善通知を送信する。
【０１２４】
この受信改善通知が受信されることにより選局制御部７は、強階層伝送／弱階層伝送の番組切替指示をデマルチプレクス部２及び映像／音声デコード部３に送信し、弱階層伝送番組を視聴させるように動作する。その結果、放送局Ａの強階層視聴状態から放送局Ａの弱階層視聴状態へ、又は、放送局Ｂの弱階層視聴から放送局Ｂの弱階層視聴状態にそれぞれ遷移する（８２Ｂ，８４Ｂ）。
【０１２５】
又、図１５に示した実施の形態５のように位置検出部９を有しており、その位置検出部９が現在位位置が受信不可地域であることを検出した場合には、図１６の状態遷移図による動作において、他の状態の同一番組への自動選局（即ち、他の状態への遷移）を実施しないように動作する。
【０１２６】
このように本実施の形態では、ＳＩのＥＩＴセクション中のフィールド値により階層の異なる同一番組や同系列局の同一番組を自動的に選局できるため、番組タイトルや番組のジャンルや番組識別番号だけで同一番組と判別する場合に比べて正確に同一番組であることを判別できる。特に、ニュースや天気予報等ではタイトルだけでは同一番組であるか判別できない場合があり、ＳＩのＥＩＴセクション中のフィールド値に含まれる登場人物や概要説明を利用することで同一番組の判別の正確性を高めることができる。
【０１２７】
実施の形態７．
図１に示された実施の形態１では、受信不可となった時点で系列局サーチを実施し、その結果、受信不可になったＴＳの系列局情報と同一の系列局情報を含むＴＳを送信（放送）している新規の系列局が検出できた場合、受信不可になったＴＳの系列局情報と、新規に検出された系列局のＴＳのチャンネル番号又は送信周波数とを関連づけて、系列局記憶部８に保存していた。又、実施の形態１では、系列局情報に、例えば、日本国内の地上デジタル放送のＩＳＤＢ−Ｔ（Integrated  Services  Digital  Broadcasting-Terrestrial)の場合なら、ブロードキャスター・インフォーメーション・テーブル（ＢＩＴ）セクション及び周波数リストで伝送されるブロードキャスター・インフォーメーション・テーブル（ＢＩＴ）セクションにおける系列事業者識別（affiliation_id）のフィールドの値を使用して、この値が同一であるか否かで判断している。しかし、ブロードキャスター・インフォーメーション・テーブル（ＢＩＴ）セクションにおける系列事業者識別（affiliation_id）のフィールドの値のみを用いた判断では、系列局を選局できる確率が十分でない場合があった。
【０１２８】
そのため、以下に説明する本発明の実施の形態７では、実施の形態１の系列事業者識別（affiliation_id）のフィールドの値に加えて、さらに、系列局記憶部８に保存するＴＳの選局成功回数を示すヒットカウント値、すなわち、検出した系列局の検出回数も検出して保存しておき、その検出回数も用いることで系列局を選局できる確率を高めるようにしている。
【０１２９】
実施の形態７に係るデジタル放送受信装置の構成及び動作は、基本的には、図１に示した実施の形態１に係るデジタル放送受信装置の構成及び動作と同様であるが、上記したように、自動選局してＴＳが受信できた場合に、そのＴＳの受信成功回数を示すヒットカウント値を系列局記憶部８に保存しておき、受信不可になった時には、この保存された情報（受信成功回数を示すヒットカウント値：検出した系列局の検出回数の情報）を利用して自動選局する点が異なっている。
【０１３０】
以下に上記保存された情報（受信成功回数を示すヒットカウント値：検出した系列局の検出回数の情報）について説明する。
選局制御部７は、受信不可検出部６が視聴していたＴＳが受信環境の悪化により受信不可になったことを検出した場合に、系列局記憶部８を検索する。その結果、正常にＴＳを受信できた場合には、選局制御部７は、そのＴＳに対応するヒットカウントの値を１増加させてから、系列局記憶部８にＴＳの系列局情報と共に保存する。又、選局制御部７は、放送周波数領域をチャンネルサーチして系列局を検出し、正常にＴＳを受信できた場合にも、そのＴＳに対応するヒットカウント値を１増加させてから、系列局記憶部８にＴＳの系列局情報と共に保存する。
【０１３１】
その後、受信環境が悪化して、受信不可検出部６が、視聴していたＴＳの受信不可を検出した場合、選局制御部７は、まず、系列局記憶部８内の系列局のチャンネル情報から、現在位置が「受信サービス地域内である」ＴＳか「受信サービス地域内であると推定される」ＴＳを検索する。その検索されたＴＳが複数存在していた場合には、ヒットカウント値の情報を参照し、そのヒットカウント値の大きい順にチューナ・復調部１に対して選局指示を出力し、チューナ・復調部１で選局された系列局が受信可能か否かを判断する。ただし、その際に、受信不可となったＴＳについては、選局対象から外しても良い。
【０１３２】
つまり、本実施の形態のデジタル放送受信装置では、選局制御部７は、系列局記憶部８に系列局を関連づけて記憶させる際に、検出した系列局の検出回数を検出し、その検出回数も系列局に関連づけて系列局記憶部８に記憶させておく。そして、その後の、受信不可検出部６から受信不可通知を受信した場合に、系列局記憶部８から系列局のチャンネル情報を検索する。その検索結果で、現在位置で受信できる可能性のある系列局が複数局記憶されていた場合には、選局制御部７は、系列局の検出回数値が大きい系列局から順に選択する。そして、選局制御部７は、選択された系列局のチャンネル情報に基づく受信信号が「現状受信可状態」か否かを判断し、「現状受信可状態」の場合に前記系列局の番組を視聴させる。又、選局制御部７は、系列局記憶部８に系列局が記憶されていないか、又は記憶されていた全ての系列局が「現状受信不可状態」の場合には、系列局をチャンネルサーチするように指示を出力する。
【０１３３】
なお、上記した例では、ヒットカウント値が大きい系列局を優先して選択しているが、系列局が検出する度にその系列局が選択される優先順位を一つ上げることとしても良い。
【０１３４】
また、最も最近検出された系列局の優先順位を（それまでの優先順位の拘わらず）１番（最も早いもの）として、他の系列局の優先順位を必要に応じて一つずつ下げる（即ち、最も最近検出された系列局の変更前の優先順位よりも早い優先順位にあった他の系列局の優先順位を一つずつ下げる）こととしても良い。この場合、選局制御部７は、系列局記憶部８に系列局を関連づけて記憶させる際に、検出した系列局の優先順位を最も早い順位とし、当該検出された系列局の変更前の優先順位よりも早い優先順位にあるものして系列局記憶部８に記憶されていたその他の系列局の優先順位を、それまでの優先順位よりも一つずつ下げ、変更後の優先順位を系列局に関連づけて、系列局記憶部８に記憶させておき、次に視聴中の放送局が受信不可になって自動選局を行う際に、上記した変更後の優先順位を用いることとしても良い。即ち、受信不可検出部６から次に受信不可通知を受信した場合に、系列局記憶部８から系列局のチャンネル情報を検索し、現在位置で受信できる可能性のある系列局が複数局記憶されていた場合には、系列局の選局の優先順位が早い系列局から順に選択し、選択された系列局のチャンネル情報に基づく受信信号が「現状受信可状態」か否を判断し、「現状受信可状態」の場合に系列局の番組を視聴し、系列局が記憶されていないか、又は記憶されていた全ての系列局が「現状受信不可状態」の場合には、系列局をチャンネルサーチするように指示を出力するようにしてもよい。
【０１３５】
以上のように本実施の形態では、系列局関係にあるＴＳが検出できたときにそのＴＳに関するチャンネル情報に関連させてそのＴＳのヒットカウント値を記憶させ、そのＴＳが検出できる度にヒットカウント値を１だけ増加させて記憶するようにしたので、日常頻繁に走行する地域における系列局のＴＳについてはヒットカウント値が他より大きくなる。そして、ヒットカウント値が他より大きいことで、そのＴＳについては系列局検索時に優先順位を早い順位とされる。従って、その検出されたＴＳが、受信不可時の系列局の自動選局（自動検索）において選局される確率が高くなり、かつ、高速に選局できることになる。またＧＰＳなどの位置特定のためのハードウエア（Ｈ／Ｗ）を用いないでも受信不可時の系列局の自動選局において選局される確率を高くすることができ、デジタル放送受信装置のコストを低減できる。
【０１３６】
実施の形態８．
本発明の実施の形態８に係るデジタル放送受信装置の構成及び動作も、基本的には、図１に示した実施の形態１に係るデジタル放送受信装置の構成及び動作と同様であるが、動作上で、受信不可時に自動選局してＴＳが受信できた場合に、そのＴＳが受信不可になったＴＳに対してＭＦＮ（Ｍｕｌｔｉ  Ｆｒｅｑｕｅｎｃｙ  Ｎｅｔｗｏｒｋ）の関係にあるか否かを系列局記憶部８に保存しておく。そして、その後に受信不可になった時には、保存されたＭＦＮ情報を利用して、その受信不可ＴＳとＭＦＮ関係のＴＳを自動選局する点が異なっている。
【０１３７】
尚、ＭＦＮ（Ｍｕｌｔｉ  Ｆｒｅｑｕｅｎｃｙ  Ｎｅｔｗｏｒｋ）とは、互いに一部が重なる複数のサービス地域にそれぞれ異なる送信所（中継局）から同一の放送局の同一番組が放送される場合に、送信所（中継局）ごとに異なる周波数を割り当てたネットワークであり、送信所の一つが親局である場合もある。従って、ＭＦＮの関係にあるＴＳは、内容が同一で、異なる周波数で送信されたＴＳである。
【０１３８】
本実施の形態のデジタル放送受信装置は、受信不可となった時点で系列局記憶部８内のＭＦＮ情報を参照して、受信不可になったＴＳとＭＦＮ関係にあるＴＳを検索する。そして、ＭＦＮ関係にあるＴＳが複数検索された場合には、その各ＴＳを順番にチューナ・復調部１で選局してみることで受信可能か否かを判別する。その結果、新規に受信可能なＭＦＮ関係にあるＴＳが検出できた場合、その検出されたＴＳ（系列局ＴＳ）に対してそのチャンネル番号または送信周波数と関連づけて系列局記憶部８に保存する。ＩＳＤＢ−Ｔの場合のＭＦＮのＴＳのチャンネル番号及び周波数情報は、ＰＳＩ中の「ＮＩＴ（Ｎｅｔｗｏｒｋ  Ｉｎｆｏｒｍａｔｉｏｎ  Ｔａｂｌｅ）セクション」の「伝送される地上分配システム記述子」に含まれる「ｆｒｅｑｕｅｎｃｙフィールド」、又は、「周波数リストの記述子」に含まれる「ｐｈｙｓｉｃａｌ＿ｃｈフィールド」、及び、「ｎｅｗ＿ｐｈｙｓｉｃａｌ＿ｃｈフィールド」から得ることができる。また、欧州のデジタル放送規格ＤＶＢ（Ｄｉｇｉｔａｌ  Ｖｉｄｅｏ  Ｂｒｏａｄｃａｓｔｉｎｇ）の場合では、ＮＩＴセクションの「伝送されるｆｒｅｑｕｅｎｃｙ  ｌｉｓｔ記述子」に含まれる「ｃｅｎｔｒｅ＿ｆｒｅｑｕｅｎｃｙフィールド」、又は、「ｃｅｌｌ＿ｆｒｅｑｕｅｎｃｙ＿ｌｉｓｔ記述子」に含まれる「ｔｒａｎｓｐｏｓｅｒ＿ｆｒｅｑｕｅｎｃｙフィールド」から得ることができる。
【０１３９】
本実施の形態では上記ＭＦＮ情報に加えて、さらに上記実施の形態７で説明した系列局記憶部８に保存した各ＴＳの選局成功回数を示すヒットカウント値も保存する。このヒットカウント値は、受信環境の悪化により受信不可検出部６が視聴していたＴＳの受信不可を検出した場合に、選局制御部７が系列局記憶部８を検索した結果、検出された系列局からのＴＳが正常に受信できた場合にそのＴＳに対するヒットカウントの値を１増加させる。また同様に選局制御部７が、放送周波数領域をチャンネルサーチして検出した系列局からのＴＳが正常に受信できた場合にもそのＴＳに対するヒットカウント値を１増加させる。
【０１４０】
受信環境の悪化により受信不可検出部６が視聴していたＴＳの受信不可を検出した場合に、選局制御部７はまず受信不可となったＴＳで伝送されたＭＦＮ情報を参照し、ＭＦＮ関係にあるＴＳが複数あった場合に、系列局記憶部８から、それらのＴＳのチャンネル情報を検索する。それらのＴＳが複数記憶されていた場合には、ヒットカウント値の大きいＴＳから先にチューナ・復調部１に選局指示を出し受信可能か判断する。ただし元々視聴していた受信不可となったＴＳは自動選局対象から外しても良い。
【０１４１】
つまり、本実施の形態のデジタル放送受信装置では、選局制御部７からの指示出力によりチャンネルサーチして検出された放送局又は入力手段により指定された放送局からのデジタル放送番組の受信信号を受信して選局、復調、誤り訂正を行い、選局された番組の受信信号のＴＳを出力するチューナ・復調部１を備え、選局制御部７は、系列局記憶部８に系列局を関連づけて記憶させる際に、チューナ・復調部１で視聴中の番組を伝送するＴＳと同一のＴＳが検出された場合に、その検出されたＴＳがＭＦＮの関係であることを検出し、その検出されたＭＦＮ関係にあるＴＳの少なくともチャンネル情報と視聴中の番組を伝送するＴＳの少なくともチャンネル情報とをＭＦＮ関係があるものとして関連付けて系列局記憶部８に記憶させておき、受信不可検出部６から受信不可通知を受信した場合に、系列局記憶部８からＭＦＮ関係にあるＴＳを検索し、現在位置で受信できる可能性のあるＭＦＮ関係にあるＴＳのチャンネル情報に基づく受信信号が「現状受信可状態」か否かを判断し、「現状受信可状態」の場合にＭＦＮ関係にあるＴＳが伝送する番組を視聴させ、ＭＦＮ関係にあるＴＳが記憶されていないか、又は記憶されていた全ての前記ＭＦＮ関係にあるＴＳが伝送する番組が「現状受信不可状態」の場合には、系列局をチャンネルサーチするように指示を出力する。
【０１４２】
なお、ＭＦＮ関係にあるＴＳが記憶されていないか、又は記憶されていた全ての前記ＭＦＮ関係にあるＴＳが伝送する番組が「現状受信不可状態」の場合に、系列局をチャンネルサーチする前に、系列局記憶部を参照して、実施の形態１乃至６などと同様に今まで視聴していた放送局の系列局があるかどうかの判定を行い、系列局が検出された場合には、検出された系列局からの受信信号が「現状受信可状態」かどうかの判定を行うようにしても良い。
【０１４３】
さらに本実施の形態では、選局制御部７は、検出されたＴＳの検出回数を検出し、ＭＦＮ関係であることと共に検出回数も系列局に関連づけて系列局記憶部８に記憶させておき、受信不可検出部６から受信不可通知を受信した場合に、系列局記憶部８からＭＦＮ関係にあるＴＳを検索する。選局制御部７は、現在位置で受信できる可能性のあるＭＦＮ関係にあるＴＳが複数記憶されていた場合には、ＭＦＮ関係にあるＴＳの検出回数値が大きい系列局から順に選択し、選択されたＴＳのチャンネル情報に基づく受信信号が「現状受信可状態」か否かを判断し、「現状受信可状態」の場合にＭＦＮ関係にあるＴＳが伝送する番組を視聴させる。
【０１４４】
以上のように本実施の形態では、ＭＦＮ関係にあるＴＳが検出できたときに、そのＴＳに関するチャンネル情報を保存するので、受信不可時の検索時にＭＦＮ関係にあるＴＳが伝送する番組が優先的に選局される。さらに、それと共に、実施の形態７と同様にヒットカウント値を１増加させて保存するようにしているので、日常頻繁に走行する地域におけるＭＦＮのＴＳに対してはヒットカウント値が他より大きくなり、受信不可時のＭＦＮ検索時に優先的に選局される。従って、日常良く受信するＴＳを高速に自動選局することができる。またＧＰＳなどの位置特定のための追加ハードウエア（Ｈ／Ｗ）が不要なため、受信不可時の検索する機能のコストを低減させることができる。
【０１４５】
実施の形態９．
実施の形態９に係るデジタル放送受信装置では、実施の形態７、８の構成と同一であるがヒットカウント値による選局順の決定ではなく、以下のようなアルゴリズムで選局順を決定する点が異なる。
【０１４６】
実施の形態８に示したように系列局記憶部８には、系列局情報、又は、ＭＦＮ情報が格納されるが、本実施の形態では、さらに系列局記憶部８に、互いに同一の系列局関係にあるＴＳの選局順情報、及び、互いにＭＦＮ関係にあるＴＳの選局順情報も格納される。この選局順情報は、受信不可検出部６が、受信環境の悪化によって視聴していたＴＳの受信が不可になったことを検出した場合に、選局制御部７が、系列局記憶部８を検索し、系列局関係またはＭＦＮ関係にあるＴＳを選局した結果、チューナ１でその選局したＴＳが正常に受信できた場合にそのＴＳに対する選局順が最優先になるように設定する。また同様に選局制御部７が、放送周波数領域をチャンネルサーチし系列局関係またはＭＦＮ関係にあるＴＳを検出し正常に受信できた場合にも、そのＴＳに対する選局順が最優先になるように設定する。その結果、それ以外のＴＳの選局の優先順位を必要に応じて１つずつ下げる（即ち、系列局関係またはＭＦＮ関係にあるものとして検出されたＴＳの変更前の優先順位よりも早い優先順位にあったＴＳの優先順位を１つずつ下げる）。
【０１４７】
図１７（ａ）、（ｂ）は、この発明の実施の形態９における系列局が受信出来た場合、即ち新規ＴＳが検出された場合の優先順位変更（即ち次回の選局の優先順位の決定）のためのアルゴリズムを示す図である。
更に詳しくは、図１７（ａ）は、受信不可が検出された時の自動選局において、系列局記憶部８に保存された各ＴＳ（Ａ）、ＴＳ（Ｂ）、ＴＳ（Ｃ）で選局する場合の系列局記憶部８内の選局の優先順位（旧選局順、即ち変更前の選局順）を示し、
図１７（ｂ）は、図１７（ａ）の選局順では選局できなかった場合に、周波数を順にスキャンする系列局サーチにより、新規に系列局関係にあるＴＳ（Ｄ）が検出され、系列局記憶部８に無い新規のＭＦＮ関係にあるＴＳ（Ｄ）が選局された場合に、系列局記憶部８内の選局の優先順位（選局順）が更新された場合の系列局記憶部８内の選局の優先順位（新選局順、即ち変更後の選局順）を示す図である。
図１７（ａ）及び（ｂ）でＴＳ（Ａ）、ＴＳ（Ｂ）、ＴＳ（Ｃ）、ＴＳ（Ｄ）は互いに系列局又はＭＦＮの関係にあるものとする。
【０１４８】
まず、図１７（ａ）、（ｂ）を用いて、選局順が入れ替えられる様子を説明する。図１７（ａ）に示されたＴＳ状態は、例えば、系列局記憶部８に記憶されるＡ，Ｂ，Ｃの３つの系列局の関係、又は、ＭＦＮ関係にあるＴＳであるＴＳ（Ａ）、ＴＳ（Ｂ）、ＴＳ（Ｃ）が保存されて状態であるとする。同図において数字の小さいほうが選局の優先順位が高く、つまり、レベル１のものが最優先順位で選局されることを示している。受信環境悪化により受信不可検出部６が視聴していたＴＳの受信不可を検出した場合に、選局制御部７が、系列局記憶部８内の系列関係またはＭＦＮ関係にあるＴＳであるＴＳ（Ａ）、ＴＳ（Ｂ）、ＴＳ（Ｃ）のいずれも選局できなかった場合には、系列サーチを行いその結果、新規に系列局関係にあるＴＳであるＴＳ（Ｄ）が選局できたとき、系列局記憶部８にＴＳ（Ｄ）の選局情報が記憶されると共に、ＴＳ（Ｄ）の次回選局時の優先順位を最優先のレベル１に設定する。その結果、これまでの旧選局順で設定されていたレベル１のＴＳ（Ａ）、レベル２のＴＳ（Ｂ）、レベル３のＴＳ（Ｃ）の選局順は、それぞれ優先順位が一つずつ低下する。図１７（ａ）及び図１７（ｂ）では、ＴＳ（Ａ）はレベル１からレベル２に、ＴＳ（Ｂ）はレベル２からレベル３に、ＴＳ（Ｃ）はレベル３からレベル４にそれぞれ優先順位が下げられている。
【０１４９】
また、図１７（ｂ）では、系列局記憶部８内に受信不可となったＴＳとＭＦＮの関係にあるＴＳ（Ｄ）が存在しない図１７（ａ）の場合に、受信不可となったＴＳが伝送するＭＦＮ情報にＴＳ（Ｄ）が記載されており、そこに記載されていたＴＳ（Ｄ）が伝送するチャンネルを選局した結果、ＴＳ（Ｄ）を用いた放送が受信できた際に、新規ＴＳ（Ｄ）の選局に必要な情報を系列局記憶部８に保存すると共に、その選局の優先順位をレベル１として保存する様子を示している。
【０１５０】
図１８（ａ）、（ｂ）は、この発明の実施の形態９における系列局記憶部８内に保存された系列局またはＭＦＮのＴＳが受信できた場合、即ち系列局記憶部内のＴＳで選局できた場合の優先順位変更（次回の選局の優先順位の決定）のためのアルゴリズムを示す図である。
更に詳しくは、図１８（ａ）は、受信不可が検出された時の自動選局において、系列局記憶部８に保存されたレベル２のＴＳ（Ａ）、レベル３のＴＳ（Ｂ）、レベル４のＴＳ（Ｃ）、レベル１のＴＳ（Ｄ）の内のレベル２のＴＳ（Ａ）により、系列局またはＭＦＮ関係のＴＳが選局できた場合の系列局記憶部８内の選局の優先順位（旧選局順）を示し、図１８（ｂ）は、レベル２のＴＳ（Ａ）で選局できたことから系列局記憶部８内のＴＳ（Ａ）の選局における優先順位（選局順）をレベル１に上げて更新した場合の系列局記憶部８内の選局の優先順位（新選局順）を示す図である。
図１８（ａ）及び（ｂ）でも、ＴＳ（Ａ）、ＴＳ（Ｂ）、ＴＳ（Ｃ）、ＴＳ（Ｄ）は互いに系列局又はＭＦＮの関係にあるものとする。
【０１５１】
図１８（ａ）は、系列局記憶部８に（Ａ），（Ｂ），（Ｃ）,（Ｄ）の４つの系列局の関係、又は、ＭＦＮ関係にあるＴＳが選局優先度の高い方からレベル１のＴＳ（Ｄ）、レベル２のＴＳ（Ａ）、レベル３のＴＳ（Ｂ）、レベル４のＴＳ（Ｃ）の順で保存されている状態とする。受信環境悪化により、受信不可検出部６が、視聴していたＴＳの受信不可を検出した場合に、選局制御部７が、系列局記憶部８内の系列関係またはＭＦＮ関係にあるＴＳを検索し、選局順がレベル２のＴＳ（Ａ）のＴＳの受信ができた場合、選局できたＴＳ（Ａ）の選局の優先順位を最高のレベル１として設定し、これに伴いそれ以外のＴＳのうち、変更前の選局の優先順位において、選局出来たレベル２のＴＳ（Ａ）よりも上位にあったＴＳの優先順位を１ずつ下げる。即ち、図１８（ｂ）に示すようにＴＳ（Ｄ）がこれに相当してレベル１からレベル２に選局順を下げ、レベル３のＴＳ（Ｂ）、レベル４のＴＳ（Ｃ）については、旧選局順においてレベル２のＴＳ（Ａ）よりも優先順位が低いので選局の優先順位の変更は行われない。
【０１５２】
次に、受信環境の悪化により受信不可検出部６が視聴していたＴＳの受信不可を検出した場合には、選局制御部７は、系列局記憶部８から、受信できなくなったＴＳと系列局またはＭＦＮの関係にあるＴＳのチャンネル情報を検索する。この検索結果で、系列局またはＭＦＮ関係にあるＴＳが複数存在していた場合には、選局制御部７は、系列局記録部８に保存しておいた選局順に従って選局を行い、選局された放送が受信可能か否かの判断を行い、系列局またはＭＦＮを検索する。但し、元々視聴していたＴＳは、受信不可時の自動選局対象から外しても良い。
【０１５３】
つまり、本実施の形態では、選局制御部７は、検出されたＴＳの検出回数を検出し、検出されたＭＦＮ関係にあるＴＳの次回のＭＦＮ関係にあるＴＳのチャンネル情報の検索時に選局される優先順位を最も早い順位とし、他のＭＦＮ関係にあるＴＳの次回のチャンネル情報の検索時に選局される優先順位がそれまでの優先順位以下に低下するように系列局記憶部８に記憶させておき、受信不可検出部６から受信不可通知を受信した場合に、系列局記憶部８からＭＦＮ関係にあるＴＳのチャンネル情報を検索する。選局制御部７は、現在位置で受信できる可能性のあるＭＦＮ関係にあるＴＳが複数あるものとして記憶されていた場合には、ＭＦＮ関係にあるＴＳの選局の優先順位が早い方から順にＴＳを選択し、選択されたＭＦＮ関係にあるＴＳのチャンネル情報に基づく受信信号が「現状受信可状態」か否かを判断し、「現状受信可状態」の場合にＭＦＮ関係にあるＴＳが伝送する番組を視聴させるように指示を出力する。
【０１５４】
以上のように、本実施の形態では、系列局関係またはＭＦＮ関係にあるＴＳが検出できたときに、そのＴＳに関するチャンネル情報と共に、次回の受信不可時において系列局またはＭＦＮ関係にあるＴＳの選局の優先順位を保存し、この選局の優先順位の決定方法を受信不可時の自動選局の結果、受信できたＴＳに対する次回の選局の優先順位を上げるか最優先するようにしたので、日常頻繁に走行していない地域に移動した際にも、２回目以降の受信不可発生時の系列局またはＭＦＮのＴＳの自動選局を高速に実施することができる。また日常頻繁に走行している地域に戻った場合には、系列局記憶部８に保存された選局優先順位は比較的高速になる値が保存されているため、比較的高速な自動選局を実施できる。またＧＰＳなどの位置特定のための追加ハードウエア（Ｈ／Ｗ）が不要なため、受信不可時の検索する機能のコストを低減させることができる。
【０１５５】
実施の形態１０．
実施の形態１０に係るデジタル放送受信装置では、実施の形態１における構成と同一であるが、以下の点が異なる。
受信不可検出部６では、チューナ・復調部１からの電界レベル（受信信号レベル）、受信Ｃ／Ｎ比情報、ＰＬＬロック情報、フレームロック情報、誤り率情報、デマルチプレクス部２からのＰＡＴ及びＰＭＴの途絶情報、ＴＳ同期はずれ情報、ＴＳヘッダ内の連続性カウンタ値の異常発生情報、映像／音声デコード部３からのデコードエラー情報等の内のいずれかの情報の履歴を収集する。受信不可検出部６がその収集情報から受信不可を検出した場合で、選局制御部７による系列局記憶部８の検索やチャンネルサーチにより系列局関係又はＭＦＮ関係にあるＴＳが検出できた場合には、選局制御部７は、検出できたＴＳのチャンネル選局情報を系列局記憶部８に保存すると共に、受信不可が発生する直前の所定期間におけるこれら受信異常履歴情報も保存する。尚、ここで所定期間とは、例えば、デジタル放送受信装置は、上記したような各種のステータス情報を、常時、例えば数秒程度の一定のサンプリング周期毎に収集しているが、その「一定のサンプリング周期」を意味する。
【０１５６】
その後、次に受信不可検出部６が受信不可を検出した場合、選局制御部７は、そのときの各種情報の変化パターンと同一または類似の過去の変化パターンを表す受信異常履歴情報を系列局記憶部８から検索する。選局制御部７は、変化パターンが同一または類似の受信異常履歴情報が検出されると、検出された受信異常履歴情報に関係付けて記憶されているチャンネル選局情報に基づいて選局を行う。即ち、変化パターンが同一又は類似の受信異常履歴情報が得られたときに、選択され、受信が可能であった系列局関係にある局又はＭＦＮ関係にある局を、選局させる。
【０１５７】
つまり、本実施の形態のデジタル放送受信装置では、デジタル放送番組の受信信号を受信して選局、復調、誤り訂正を行い、選局された番組の受信信号のＴＳを出力すると共に、その番組の受信信号の受信レベル情報、受信Ｃ／Ｎ比情報、ＰＬＬロック情報、フレームロック情報、誤り率の各種情報の少なくとも一つを出力するチューナ・復調部１と、ＴＳから映像／音声ストリームを分離抽出して出力し、ＴＳからＰＳＩ／ＳＩを抽出してそのＰＳＩ／ＳＩを保存すると共に、ＰＡＴ断絶情報、ＰＭＴ断絶情報、ＴＳ同期はずれ情報、ＴＳパケットの損失情報の各種情報の少なくとも一つを出力するデマルチプレクス部２と、映像／音声ストリームから映像の復号及び音声の復号を行い復号された映像信号及び音声信号を出力すると共に、デコードエラー検出情報、デコードエラー率情報の各種情報の少なくとも一つを出力する映像／音声デコード部３を備えている。
【０１５８】
そして、受信不可検出部６が、各種情報の少なくとも一つに基づいて番組の受信信号が「現状受信不可状態」であることを検出した場合には、選局制御部７は、系列局記憶部８内の検索又はチャンネルサーチにより系列局の関係又はＭＦＮ関係にあるＴＳが検出できた場合に、検出できたＴＳのチャンネル局情報を系列局記憶部８に記憶させておくと共に、「現状受信不可状態」が発生する直前の所定期間の上記各種情報の変化パターンを受信異常履歴情報として、検出できたＴＳのチャンネル局情報に関連づけて系列局記憶部８に記憶させておく。
【０１５９】
そして、その後、受信不可検出部６が「現状受信不可状態」を検出した時には、選局制御部７は、系列局記憶部８に記憶された受信異常履歴情報からその際の（検出された）受信異常履歴情報の変化パターンと同一又は類似の変化パターンを表す受信異常履歴情報を検索し、変化パターンが同一又は類似の受信履歴情報が検出されたときは、検出された受信異常履歴情報に関連して記憶されている系列局関係又はＭＦＮ関係にあるＴＳのチャンネル選局情報を選局に用いる。
【０１６０】
以上のように本実施の形態では、選局制御部７は、系列局関係またはＭＦＮ関係にあるＴＳの自動選局ができたときにそのＴＳに関するチャンネル情報と共に受信不可発生直前の受信異常履歴情報を保存するようにし、次回以降、受信不可時において保存した受信異常履歴情報の中から、そのときの受信異常情報の変動パターンと類似のものを検索し、そのＴＳを自動選局するようにしたので、過去に受信できなかった同一地点で自動選局できたＴＳが受信できる可能性を高めることができ、そのＴＳを最初に選局することで、高速な自動選局ができる可能性を高めることができる。またＧＰＳなどの位置特定のための追加ハードウエア（Ｈ／Ｗ）が不要なため、受信不可時の検索する機能のコストを低減させることができる。
【０１６１】
実施の形態１１．
実施の形態１１に係るデジタル放送受信装置では、実施の形態１における構成と同一であるが、以下の点が異なる。
受信不可検出部６では、チューナ・復調部１からの電界レベル（受信信号レベル）、受信Ｃ／Ｎ比情報、ＰＬＬロック情報、フレームロック情報、誤り率情報、デマルチプレクス部２からのＰＡＴ及びＰＭＴの途絶情報、ＴＳ同期はずれ情報、ＴＳヘッダ内の連続性カウンタ値の異常発生情報、映像／音声デコード部３からのデコードエラー情報等の内のいずれかの情報の履歴を収集する。受信不可検出部６がその収集情報から受信不可を検出した場合で、選局制御部７による系列局記憶部８の検索やチャンネルサーチにより系列局関係又はＭＦＮ関係にあるＴＳが検出できた場合には、選局制御部７は、検出できたＴＳのチャンネル選局情報を系列局記憶部８に保存すると共に、受信不可が発生する直前の所定期間におけるこれら受信異常履歴情報も保存する。
【０１６２】
その後、次に受信不可検出部６が受信不可を検出した場合に、選局制御部７は、その受信不可が発生する直前の所定期間に取得した受信異常履歴情報において、例えば、電界レベルの変化が急峻に悪化するようなケースでは、トンネル内環境のような、どのチャンネルも受信できないような環境に入ったと判断し、自動的な系列局関係またはＭＦＮ関係にあるＴＳのサーチ、選局動作の実施を中止させる。
【０１６３】
つまり、本実施の形態のデジタル放送受信装置では、実施の形態１０と同様に、デジタル放送番組の受信信号を受信して選局、復調、誤り訂正を行い、選局された番組の受信信号のＴＳを出力すると共に、その番組の受信信号の受信レベル情報、受信Ｃ／Ｎ比情報、ＰＬＬロック情報、フレームロック情報、誤り率の各種情報の少なくとも一つを出力するチューナ・復調部１と、ＴＳから映像／音声ストリームを分離抽出して出力し、ＴＳからＰＳＩ／ＳＩを抽出してそのＰＳＩ／ＳＩを保存すると共に、ＰＡＴ断絶情報、ＰＭＴ断絶情報、ＴＳ同期はずれ情報、ＴＳパケットの損失情報の各種情報の少なくとも一つを出力するデマルチプレクス部２と、映像／音声ストリームから映像の復号及び音声の復号を行い復号された映像信号及び音声信号を出力すると共に、デコードエラー検出情報、デコードエラー率情報の各種情報の少なくとも一つを出力する映像／音声デコード部３を備えている。
【０１６４】
そして、受信不可検出部６が、各種情報の少なくとも一つに基づいて番組の受信信号が「現状受信不可状態」であることを検出した場合には、選局制御部７は、系列局記憶部８内の検索又はチャンネルサーチにより系列局の関係又はＭＦＮ関係にあるＴＳが検出できた場合に、検出できたＴＳのチャンネル局情報を系列局記憶部８に記憶させておくと共に、「現状受信不可状態」が発生する直前の所定期間の上記各種情報の変化パターンを受信異常履歴情報として、検出できたＴＳのチャンネル局情報に関連づけて系列局記憶部８に記憶させておく。このとき、どの放送局からの番組もすべて「現在受信不可状態」であるときは、そのことも当該受信異常履歴情報に関連付けて記憶させておく。
【０１６５】
そして、その後、受信不可検出部６が「現状受信不可状態」を検出した時には、そのときの各種情報の変化パターンと同一又は類似の過去の変化パターンを表す受信に情報異常履歴情報を系列局記憶部８から検索する。選局制御部７は、変化パターンが同一または類似の受信異常履歴情報が検出されると、検出された受信異常履歴情報に関係付けて記憶されているチャンネル選局情報に基づいて選局を行う。即ち、変化パターンが同一又は類似の受信異常履歴情報が得られたときに選択され、受信が可能であった系列局関係にある局又はＭＦＮ関係にある局を、選局させる。また、検出された受信異常履歴情報に関連付けて、どの放送局の番組も「現在受信不可状態」であったとの情報が記憶されている場合には、選局や放送局の切替えを実施しない。このようにするのは、検出された各種情報の変化パターンは、デジタル放送受信装置が、どのチャンネルも選局できない位置にあることを表すと考えられるからである。
【０１６６】
以上のように本実施の形態では、受信不可発生直前の受信異常情報の変化パターンにより全くどのチャンネルも受信出来ないような環境であるか判別してその場合は選局を中止するため、トンネル内などで自動選局が動作させないためトンネルから抜けた際に、元々受信していたＴＳの再受信が短時間でできるようになる。またＧＰＳなどの位置特定のための追加ハードウエア（Ｈ／Ｗ）が不要なため、受信不可時の検索する機能のコストを低減させることができる。
【０１６７】
実施の形態１２．
図１９は、この発明の実施の形態１２に係るデジタル放送受信装置の概略の内部構成を示すブロック図である。図１９において第１のチューナ部１００及び第２のチューナ部１０２はそれぞれ、アンテナからの信号を受信し、そこから特定の周波数の信号を抽出する。どの周波数の信号を抽出するかは、選局制御部７が制御することができる。又、第１のチューナ部１００及び第２のチューナ部１０２はそれぞれ受信レベル情報を出力する。
【０１６８】
復調部１０１は第１のチューナ部１００からの信号の復調、誤り訂正を行い、ＴＳを出力する。又、復調部１０１は、受信Ｃ／Ｎ情報、ＰＬＬロック情報、フレームロック情報、誤り率情報の各種情報の中から少なくとも１つを出力する。
図１９の第１のチューナ部１００と復調部１０１をあわせたものが、図１のチューナ・復調部１に相当する。
なお、第１のチューナ部１００、及び第２のチューナ部１０２のいずれか、または両方については、本受信装置を移動体用として使用する場合等では、複数のアンテナ出力を複数のチューナ部でそれぞれ受信するダイバーシティ構成のものであってもよい。一方、本受信装置を家庭用の固定受信機として使用する場合等では、第１のチューナ部１００、及び第２のチューナ部１０２はそれぞれ一つのアンテナ出力を一つのチューナ部で受信するものであってもよい。
【０１６９】
本実施の形態に係るデジタル放送受信装置の内部構成は、実施の形態１とほぼ同じであるが、以下の点が異なる。本実施の形態の形態では、第１及び第２のチューナ部１００、１０２のようにチューナ部が複数設けられている。また本実施の形態では、受信不可検知部６は、実施の形態１で受け取ることができる情報の他、第２のチューナ部１０２から受信レベル情報を受け取ることができる。また、本実施の形態では、選局制御部７は、第１のチューナ部１００と第２のチューナ部１０２を制御し、それぞれ別々の放送局を選局することができる。
【０１７０】
以下、本実施の形態のデジタル放送受信装置の動作について説明する。まず、第１のチューナ部１００である放送局（放送局Ａ）を選局している場合を考える。このとき、復調部１０１とデマルチプレクス部２と映像音声デコード部３と映像表示部４と音声出力部５は、放送局Ａの映像、音声 (コンテンツ)を表示、出力するために動作している。
【０１７１】
一方、選局制御部７は第２のチューナ部１０２を用いて図２０のフローチャートの動作を行なう。まず、デジタル放送で利用されているチャンネルのうち、チャンネル番号が最小値のチャンネルを第２のチューナ部１０２で選局する（Ｓ１００）。次に、第２のチューナ部１０２から出力される受信レベル情報を系列局記憶部８又は他の記憶部（図示しない）に記録する（Ｓ１０１）。次に、系列局記憶部８又は他の記憶部に記録された受信レベル情報を元に、系列局記憶部８に記録されている系列局の優先度を算出し、系列局記憶部８に記録する（Ｓ１０２）。優先度については、例えば受信レベルの高い系列局ほど高い優先度を設定する。次に、第２のチューナ部１０２で選局しているチャンネルがデジタル放送で利用されているチャンネルのうち、チャンネル番号が最大値のチャンネルであるかどうか判定する（Ｓ１０３）。第２のチューナ部１０２で選局しているチャンネルが、チャンネル番号が最大値のチャンネルであれば（Ｓ１０３でＹＥＳ）、デジタル放送で利用されているチャンネルのうち、チャンネル番号が最小値のチャンネルを第２のチューナ部１０２で選局し（Ｓ１００）、ステップ１０１に進む。一方、第２のチューナ部１０２で選局しているチャンネルが、チャンネル番号が最大値のチャンネルでなければ（Ｓ１０３でＮＯ）、第２のチューナ部１０２で次のチャンネルを選局し（Ｓ１０４）、ステップＳ１０１に進む。なお、本フローチャートに示される動作は、受信レベル監視の為、常時実行される。
【０１７２】
次に、受信状態が変化し、視聴していた放送局（放送局Ａ）を受信できなくなった場合を考える。このとき、第１のチューナ部１００、復調部１０１、デマルチプレクス部２、映像／音声デコード部３からの出力情報を受け、受信不可検出部６が受信不可通知を送出する。選局制御部７はこの受信不可通知を受け、第１のチューナ部１００を用いて図２１のフローチャートの動作を行なう。まず、放送局Ａと同一系列の放送局が系列局記憶部８に記録されているかどうかを調べる（Ｓ１１０）。同一系列の放送局が記録されていれば（Ｓ１１０でＹＥＳ）、その中で優先度の最も高い放送局を第１のチューナ部１００で選局する（Ｓ１１１）。次に、第１のチューナ部１００で選局した放送局が受信可状態であるか否かを判定する（Ｓ１１２）。受信可状態であれば（Ｓ１１２でＹＥＳ）処理を終了する。受信不可状態であれば（Ｓ１１２でＮＯ）、系列局記憶部８に記録されている放送局Ａと同一系列の放送局の中で、まだ選局を行なっていない放送局が残っているかどうかを調べる（Ｓ１１３）。放送局Ａと同一系列の放送局が残っていれば（Ｓ１１３でＹＥＳ）、次に優先度の高い放送局を第１のチューナ部１００で選局し（Ｓ１１４）、ステップＳ１１２へ進む。
【０１７３】
ステップＳ１１０で放送局Ａと同一系列の放送局が系列局記憶部８に記録されていない場合、及びステップＳ１１３で系列局記憶部８に記録されている放送局Ａと同一系列の放送局の中で、まだ選局を行なっていない放送局が残っていない場合、ステップＳ１１５へ進む。
【０１７４】
ステップＳ１１５では、デジタル放送で利用されているチャンネルのうち、チャンネル番号が最小値のチャンネルを第１のチューナ部１００で選局する。次に、第１のチューナ部１００で選局しているチャンネルが、放送局Ａと同一系列の放送局か否かを判定する（Ｓ１１６）。放送局Ａと同一系列の放送局であれば（Ｓ１１６でＹＥＳ）、第１のチューナ部１００で選局しているチャンネルを放送局Ａの系列局として、系列局記憶部８に記録し（Ｓ１１９）、ステップＳ１１２へ進む。放送局Ａと同一系列の放送局でなければ（Ｓ１１６でＮＯ）、ステップＳ１１７へ進む。ステップＳ１１７では、第１のチューナ部１００で選局しているチャンネルが、デジタル放送で利用されているチャンネルのうちのチャンネル番号が最大値のチャンネルか否かを判定し、第１のチューナ部１００で選局しているチャンネルが、チャンネル番号が最大値のチャンネルであれば（Ｓ１１７でＹＥＳ）、ステップＳ１１５に進み、第１のチューナ部１００で選局しているチャンネルが、チャンネル番号が最大値のチャンネルでなければ（Ｓ１１７でＮＯ）、第１のチューナ部１００で次のチャンネルを選局し（Ｓ１１８）、ステップＳ１１６へ進む。
【０１７５】
なお、系列局記憶部８に、系列局のチャンネルだけではなくＭＦＮのチャンネルも記録し、図２０のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０１７６】
実施の形態１のデジタル放送受信装置では、系列局記憶部８に放送局Ａと同一系列の放送局が複数記録されていた場合、複数の放送局から１つを選択する基準として、その時点の放送局の受信レベル情報を用いていない。よって、受信状態の悪い放送局を最初に選択する恐れがある。また、実施の形態１のデジタル放送受信装置では、隣接地域を推定するためにサービスＩＤの値を用いているが、サービスＩＤの値が図５〜図７の運用が行なわれていない場合（例えば欧州などで運用されているＤＶＢ規格のデジタル放送の場合）、隣接地域を推定することができず、受信状態の悪い放送局を最初に選局する可能性が高くなる。一方、本実施の形態のデジタル放送受信装置では、受信レベル情報を受信し、この受信レベル情報を元に系列局の優先度を常時更新するため、受信状態のよい系列局を最初に選局する可能性が高くなる。よって、放送局Ａが受信不可状態になった場合に、実施の形態１と比較して、より高速に放送局Ａと同一系列の放送局に切り替えることができる。さらに本実施の形態のデジタル放送受信装置では、サービスＩＤの値が図５〜図７の運用が行なわれていないデジタル放送でも、放送局Ａと同一系列の放送局が複数記録されていた場合に、受信状態の最も良い放送局を高い可能性で選局することができる。
【０１７７】
実施の形態１３．
実施の形態１３に係るデジタル放送受信装置は、基本的には実施の形態１２に係るデジタル放送受信装置と同様の構成、動作であるが、選局制御部７が第２のチューナ部１０２を用いて行なう動作についてのみ異なる。即ち受信レベル監視用に設けた第２のチューナ部１０２は、実施の形態１２のように全放送帯域に存在する全物理チェンネルの受信レベルを全て調査対象とするのではなく、系列局記憶部８に存在する受信不可となった放送局と同一系列関係にある放送局のみ監視対象とする点が異なる。本実施の形態のデジタル放送受信装置での、選局制御部７が第２のチューナ部１０２を用いて行なう動作のフローチャートを図２２に示す。まず、系列局記憶部８に系列局が記録されているかどうかを確認する（Ｓ１３０）。系列局が記録されていれば（Ｓ１３０でＹＥＳ）ステップＳ１３１に進み、系列局が記録されていなければ（Ｓ１３０でＮＯ）処理を終了する。
【０１７８】
ステップＳ１３１では、系列局記憶部８に記録されている系列局の中でチャンネル番号が最小値のチャンネルを第２のチューナ部１０２で選局する。次に、第２のチューナ部１０２より出力される受信レベル情報を系列局記憶部８又は他の記憶部に記録する（Ｓ１３２）。次に、系列局記憶部８に記録された受信レベル情報を元に、系列局記憶部８に記録されている系列局の優先度を算出し、系列局記憶部８に記録する（Ｓ１３３）。次に、第２のチューナ部１０２で選局しているチャンネルが系列局記憶部８で記録されている系列局のうちチャンネル番号が最大値のチャンネルかどうかを判定する（Ｓ１３４）。第２のチューナ部１０２で選局しているチャンネルが、チャンネル番号が最大値のチャンネルであれば（Ｓ１３４でＹＥＳ）、第２のチューナ部１０２で系列局記憶部８に記録されているチャンネルのうち、チャンネル番号が最小値のチャンネルを選局し（Ｓ１３１）、ステップ１３２に進む。一方、第２のチューナ部１０２で選局しているチャンネルが、チャンネル番号が最大値のチャンネルでなければ（Ｓ１３４でＮＯ）、第２のチューナ部１０２で次の系列局を選局し（Ｓ１３５）、ステップＳ１３２に進む。なお、系列局記憶部８に系列局が記録されている場合、本フローチャートに示される動作は、受信レベル監視の為、常時実行される。
【０１７９】
なお、系列局記憶部８に、系列局のチャンネルだけではなくＭＦＮのチャンネルも記録し、図２２のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０１８０】
このように、本実施の形態のデジタル放送受信装置では、系列局記憶部８に記録されている系列局についてのみ、受信レベル情報を取得するため、実施の形態１２と比較して、系列局関係に無い放送局を受信レベル監視対象としないので、無駄なチューニング、監視が不要で、意味のある監視対象に絞り込むことにより、複数存在し得る系列局選局候補の全受信レベルを短時間で取得でき、系列局選局優先度に高速に反映することができる。よって、本実施の形態のデジタル放送受信装置は実施の形態１２のデジタル放送受信装置と比較して、放送局Ａの受信状態が悪くなった場合に、放送局Ａと同一系列の放送局の中で受信状態の最も良い放送局を最初に選局する可能性が高くなり、高速な系列局への自動切り替えが達成できる。
【０１８１】
実施の形態１４．
図２３は、この発明の実施の形態１４に係るデジタル放送受信装置の概略の内部構成を示すブロック図である。本実施の形態に係るデジタル放送受信装置の内部構成は、実施の形態１２とほぼ同じであるが、チューナ部選択部１０５が設けられ、復調部１０１への入力信号を第１のチューナ部１００からの信号とするか第２のチューナ部１０２からの信号にするか切り替えられる点が異なる。なお、第１及び第２のチューナ部１００、１０２のいずれか、または両方については、本受信装置を移動体用として使用する場合等では、複数のアンテナ出力を複数のチューナ部でそれぞれ受信するダイバーシティ構成のものであってもよい。一方、本受信装置を家庭用の固定受信装置として使用する場合等では、第１及び第２のチューナ部１００、１０２はそれぞれ一つのアンテナ出力を一つのチューナ部で受信するものであってもよい。
【０１８２】
以下、本実施の形態のデジタル放送受信装置の動作について説明する。まず、第１のチューナ部１００である放送局（放送局Ａ）を選局している場合を考える。このとき、復調部１０１とデマルチプレクス部２と映像音声デコード部３と映像表示部４と音声出力部５は、放送局Ａの映像、音声（コンテンツ）を表示、出力するために動作している。
【０１８３】
一方、選局制御部７は第２のチューナ部１０２を用いて図２４のフローチャートの動作を行なう。まず、系列局記憶部８に放送局Ａと同一系列の放送局が記録されているかどうかを調べる（Ｓ１４０）。同一系列の放送局が存在すれば（Ｓ１４０でＹＥＳ）ステップＳ１４１に進み、同一系列の放送局が存在しなければ（Ｓ１４０でＮＯ）処理を終了する。ステップＳ１４１では、系列局記憶部８に記録されている放送局Ａと同一系列の放送局の中でチャンネル番号が最小値のチャンネルを第２のチューナ部１０２で選局する。次に、第２のチューナ部１０２から通知される受信レベル情報を系列局記憶部８又は他の記憶部に記録する（Ｓ１４２）。次に、第２のチューナ部１０２で選局しているチャンネルが、系列局記憶部８に記録されている放送局Ａと同一系列の放送局の中でチャンネル番号が最大値のチャンネルか否かを判定する（Ｓ１４３）。第２のチューナ部１０２で選局しているチャンネルが、チャンネル番号が最大値のチャンネルであれば（Ｓ１４３でＹＥＳ）ステップＳ１４５に進み、第２のチューナ部１０２で選局しているチャンネルが、チャンネル番号が最大値のチャンネルでなければ（Ｓ１４３でＮＯ）次の系列局を選局し（Ｓ１４４）ステップＳ１４２へ進む。
【０１８４】
ステップＳ１４５では、系列局記憶部８又は他の記憶部に記録された受信レベル情報を元に、放送局Ａと同一系列の放送局に対して優先度を算出し、系列局記憶部８に記録する。次に、放送局Ａと同一系列の放送局の中から優先度の最も高い放送局を選択し、第２のチューナ部１０２でその放送局を選局する（Ｓ１４６）。次に、第２のチューナ部１０２から出力される受信レベル情報を取得し、第２のチューナ部１０２の受信状態が良好か否かを判定する（Ｓ１４７）。受信状態が良好であれば（Ｓ１４７でＹＥＳ）ステップＳ１４７へ進み、受信状態が悪くなるまで第２のチューナ部１０２で選局するチャンネルを変化させない。一方、受信状態が良好でなければ（Ｓ１４７でＮＯ）ステップＳ１４１へ進む。
【０１８５】
次に、受信状態が変化し、視聴していた放送局（放送局Ａ）を受信できなくなった場合を考える。このとき、選局制御部７は、第２のチューナ部１０２で放送局Ａの系列局を選局しているか（Ｓ１４７でＹＥＳの状態を保っているか）を判定する。もし、放送局Ａの系列局を第２のチューナ部１０２で選局していれば、復調部１０１への入力信号を第１のチューナ部１００から第２のチューナ部１０２とするようチューナ部選択部１０５を操作し、以後第１のチューナ部１００と第２のチューナ部１０２の役割を入れ替える。もし、放送局Ａの系列局を第２のチューナ部１０２で選局していなければ、実施の形態１の系列局サーチと同様の動作を行なう。
【０１８６】
このように、復調部１０１が、第１及び第２のチューナ部１００、１０２の一方（例えば１００）からの出力信号の復調、誤り訂正を行っている状態で、選局制御部７が、第１及び第２のチューナ部の他方(１０２)の信号を用いて、系列局記憶部８に記録されている系列局に優先度をつけておき、第１及び第２のチューナ部の上記一方(１００)で選局した放送局が視聴不可となったとき、第１及び第２のチューナ部の上記他方（１０２)で選局している放送局が視聴可能である場合には、第１及び第２のチューナ部(１００，１０２)の役割が入れ替えられる。
【０１８７】
なお、系列局記憶部８に、系列局のチャンネルだけではなくＭＦＮのチャンネルも記録し、図２４のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０１８８】
実施の形態１２のデジタル放送受信装置では、放送局Ａの受信状態が悪くなり、放送局Ａと同一系列の放送局を選局する場合、第１のチューナ部１００が放送局Ａと同一系列の放送局の周波数を合わせるために時間にかかり、放送局Ａと同一系列の放送局の映像と音声(コンテンツ)を表示、出力するまでに時間がかかる。一方、本実施の形態のデジタル放送受信装置では、放送局Ａの受信状態が悪くなり、放送局Ａと同一系列の放送局を選局する場合、放送局Ａを選局していたチューナとは別のチューナが既に放送局Ａと同一系列の放送局を選局済みであることが期待できる。その場合、復調部が受信する信号をチューナ部選択部１０５で第１のチューナ部１００から第２のチューナ部１０２へ切り替えるだけでよく、チューナ部で放送局Ａと同一系列の放送局の周波数を選局するための時間をなくすことができる。よって、本実施の形態のデジタル放送受信装置は、実施の形態１２のデジタル放送受信装置と比較して、放送局Ａの受信状態が悪くなり、放送局Ａと同一系列の放送局を選局する場合に、放送局Ａと同一系列の放送局の映像と音声(コンテンツ)を表示、出力するまでにかかる時間を極めて短くすることができる。
【０１８９】
実施の形態１５．
図２５は、この発明の実施の形態１５に係るデジタル放送受信装置の概略の内部構成を示すブロック図である。本実施の形態に係るデジタル放送受信装置の内部構成は、実施の形態１２とほぼ同じであるが以下の点が異なる。本実施の形態では、複数の復調部、例えば第１及び第２の復調部１０１、１０３が設けられている。また本実施の形態では、受信不可検知部６は、実施の形態１２で受け取ることができる情報の他、第２の復調部１０３から出力される、受信Ｃ／Ｎ情報、ＰＬＬロック情報、フレームロック情報、誤り率情報の各種情報の内、少なくとも１つを受信することができる。なお、第１及び第２のチューナ部１００、１０２のいずれか、または両方については、本受信装置を移動体用として使用する場合等では、複数のアンテナ出力を複数のチューナ部でそれぞれ受信するダイバーシティ構成のものであってもよい。一方、本受信装置を家庭用の固定受信機として使用する場合等では、第１及び第２のチューナ部１００、１０２はそれぞれ一つのアンテナ出力を一つのチューナ部で受信するものであってもよい。
【０１９０】
本実施の形態に係るデジタル放送受信装置の動作は、基本的に実施の形態１２の動作とほぼ同じであるが、以下の点が異なる。本実施の形態では、まず図２０のステップＳ１０１の動作が、第２のチューナ部１０２から出力される受信レベル情報、第２の復調部１０３から出力される受信Ｃ／Ｎ情報、ＰＬＬロック情報、フレームロック情報、誤り率情報の各種情報の内、少なくとも１つを系列局記憶部８又は他の記憶部に記録する、という動作となる。また、ステップＳ１０２の動作が、受信レベル情報、受信Ｃ／Ｎ情報、ＰＬＬロック情報、フレームロック情報、誤り率情報の各種情報の内、少なくとも１つを用いて優先度を算出するという動作となる。なお、図２０のフローチャートに示される動作は、受信レベル監視の為、常時実行される。
【０１９１】
なお、系列局記憶部８に、系列局のチャンネルだけではなくＭＦＮのチャンネルも記録し、図２０のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０１９２】
実施の形態１２のデジタル放送受信装置では、受信レベル情報のみから優先度を算出しているため、デジタル放送以外の電波（例えばアナログ放送やノイズなど）の存在のために受信レベルが高くなる場合があり、その結果実際はデジタル放送用信号が存在しないにもかかわらず選局優先度が高くなる恐れがある。一方、本実施の形態のデジタル放送受信装置では、受信レベル情報のほかに、受信Ｃ／Ｎ情報、ＰＬＬロック情報、フレームロック情報、誤り率情報を優先度算出に用いることができるため、そのチャンネルでデジタル放送が送出されているかどうかを判定することができる。よって、デジタル放送以外の要因で受信レベルが高いチャンネルの優先度を低くすることができる。よって、本実施の形態のデジタル放送受信装置では、実施の形態１２のデジタル放送受信装置と比較して、放送局Ａの受信状態が悪くなった場合に、放送局Ａと同一の放送局の中で受信状態の最も良い放送局を最初に選局する可能性が高くなる。
【０１９３】
実施の形態１６．
実施の形態１６に係るデジタル放送受信装置の内部構成は実施の形態１５と同じである。また、本実施の形態に係るデジタル放送受信の動作は基本的には実施の形態１３とほぼ同じであるが、以下の点が異なる。本実施の形態では、まず図２２のステップＳ１３２の動作が、第２のチューナ部１０２から出力される受信レベル情報、第２の復調部１０３から出力される受信Ｃ／Ｎ情報、ＰＬＬロック情報、フレームロック情報、誤り率情報の各種情報の内、少なくとも１つを系列局記憶部８又は他の記憶部に記録する、という動作となる。また、ステップＳ１３３の動作が、受信レベル情報、受信Ｃ／Ｎ情報、ＰＬＬロック情報、フレームロック情報、誤り率情報の各種情報の内、少なくとも１つを用いて優先度を算出するという動作となる。なお、系列局記憶部８に系列局が記録されている場合、図２２のフローチャートに示される動作は、受信レベル監視の為、常時実行される。
【０１９４】
なお、系列局記憶部８に、系列局のチャンネルだけではなくＭＦＮのチャンネルも記録し、図２２のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０１９５】
実施の形態１３のデジタル放送受信装置では、受信レベル情報のみから優先度を算出しているため、デジタル放送以外の電波（例えばアナログ放送やノイズなど）の存在のために受信レベルが高くなる場合があり、その結果実際はデジタル放送用信号が存在しないにもかかわらず選局優先度が高くなる恐れがある。一方、本実施の形態のデジタル放送受信装置では、受信レベル情報のほかに、受信Ｃ／Ｎ情報、ＰＬＬロック情報、フレームロック情報、誤り率情報を優先度算出に用いることができるため、そのチャンネルでデジタル放送が送出されているかどうかを判定することができる。よって、デジタル放送以外の要因で受信レベルが高いチャンネルの優先度を低くすることができる。よって、本実施の形態のデジタル放送受信装置では、実施の形態１３のデジタル放送受信装置と比較して、放送局Ａの受信状態が悪くなった場合に、放送局Ａと同一の放送局の中で受信状態の最も良い放送局を最初に選局する可能性が高くなる。
【０１９６】
実施の形態１７．
図２６は、この発明の実施の形態１７に係るデジタル放送受信装置の概略の内部構成を示すブロック図である。本実施の形態に係るデジタル放送受信装置の内部構成は、実施の形態１４とほぼ同じであるが以下の点が異なる。本実施の形態では、複数の復調部、例えば第１及び第２の復調部１０１、１０３が設けられている。また本実施の形態では、受信不可検知部６は、実施の形態１４で受け取ることができる情報の他、第２の復調部１０３から出力される、受信Ｃ／Ｎ情報、ＰＬＬロック情報、フレームロック情報、誤り率情報の各種情報の内、少なくとも１つを受信することができる。また本実施の形態では、復調部選択部１０６が設けられ、デマルチプレクス部２への入力信号を第１の復調部１０１からの信号にするか第２の復調部１０３からの信号にするか切り替えることができる。なお、第１及び第２のチューナ部１００、１０２のいずれか、または両方については、本受信装置を移動体用として使用する場合等では、複数のアンテナ出力を複数のチューナ部でそれぞれ受信するダイバーシティ構成のものであってもよい。一方、本受信装置を家庭用の固定受信機として使用する場合等では、第１及び第２のチューナ部１００、１０２はそれぞれ一つのアンテナ出力を一つのチューナ部で受信するものであってもよい。
【０１９７】
また、本実施の形態に係るデジタル放送受信の動作は、実施の形態１４とほぼ同じであるが、以下の点が異なる。本実施の形態では、まず図２４のステップＳ１４２の動作が、第２のチューナ部１０２から出力される受信レベル情報、第２の復調部１０３から出力される受信Ｃ／Ｎ情報、ＰＬＬロック情報、フレームロック情報、誤り率情報の各種情報の内、少なくとも１つを系列局記憶部８又は他の記憶部に記録する、という動作となる。また、ステップＳ１４５の動作が、受信レベル情報、受信Ｃ／Ｎ情報、ＰＬＬロック情報、フレームロック情報、誤り率情報の各種情報の内、少なくとも１つを用いて優先度を算出するという動作となる。また、ステップＳ１４７の動作が、受信レベル情報、受信Ｃ／Ｎ情報、ＰＬＬロック情報、フレームロック情報、誤り率情報の各種情報の内、少なくとも１つを用いて受信状態が良好か否かを判断する、という動作となる。また、視聴中の放送局（放送局Ａ）が受信できなくなった場合の動作は、デマルチプレクス部２への入力信号を第１の復調部１０１から第２の復調部１０３とするよう復調部選択部１０５を操作する、という動作になる。
【０１９８】
即ち、デマルチプレクス部２が、第１及び第２のチューナ部１００、１０２の一方（例えば１００）からの出力信号の復調、誤り訂正を行う復調部（例えば１０１）の出力を受けている状態で、選局制御部７が、第１及び第２のチューナ部の他方(１０２)、及び該他方のチューナ部（１０２）の出力信号の復調、誤り訂正を行う復調部（１０３）の信号のいずれかを用いて、系列局記憶部８に記録されている系列局に優先度をつけておき、第１及び第２のチューナ部の上記一方(１００)で選局した放送局が視聴不可となったとき、第１及び第２のチューナ部の上記他方（１０２)で選局している放送局が視聴可能である場合には、第１及び第２のチューナ部(１００，１０２)、並びに第１及び第２の復調部（１０１、１０３）の役割が入れ替えられる。
【０１９９】
なお、系列局記憶部８に、系列局のチャンネルだけではなくＭＦＮのチャンネルも記録し、図２４のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０２００】
実施の形態１４のデジタル放送受信装置では、受信レベル情報のみから優先度を算出しているため、デジタル放送以外の電波（例えばアナログ放送やノイズなど）の存在のために受信レベルが高くなる場合があり、その結果実際はデジタル放送用信号が存在しないにもかかわらず選局優先度が高くなる恐れがある。一方、本実施の形態のデジタル放送受信装置では、受信レベル情報のほかに、受信Ｃ／Ｎ情報、ＰＬＬロック情報、フレームロック情報、誤り率情報を優先度算出に用いることができるため、そのチャンネルでデジタル放送が送出されているかどうかを判定することができる。よって、デジタル放送以外の要因で受信レベルが高いチャンネルの優先度を低くすることができる。よって、本実施の形態のデジタル放送受信装置では、実施の形態１４のデジタル放送受信装置と比較して、放送局Ａと同一の放送局の中で受信状態の最も良い放送局を第２のチューナ部１０２で選局する可能性が高くなる。また、実施の形態１４のデジタル放送受信装置では、放送局Ａから放送局Ａと同一系列の放送局に切り替える際、第１の復調部１０１が放送局Ａと同一系列の放送局の信号をチューナ部から受信し始めてから、放送局Ａと同一系列の放送局のＴＳを出力するまでに時間がかかるため、放送局Ａと同一系列の放送局の映像と音声（コンテンツ）を表示、出力するまでに時間がかかる。一方、本実施の形態のデジタル放送受信装置では、放送局Ａから放送局Ａと同一系列の放送局に切り替える際、デマルチプレクス部２が受信する信号を第１の復調部１０１から予め復調処理済みの第２の復調部１０３からの出力に復調部選択部１０６で切り替えるだけでよいため、復調部が放送局Ａと同一系列の放送局の信号をチューナ部から受信し始めてから、放送局Ａと同一系列の放送局のＴＳを出力するまでの時間をなくすことができる。よって、本実施の形態のデジタル放送受信装置は、実施の形態１４のデジタル放送受信装置と比較して、放送局Ａと同一系列の放送局の映像と音声 (コンテンツ)を表示、出力するまでにかかる時間を短くすることができる。
【０２０１】
実施の形態１８．
図２７は、この発明の実施の形態１８に係るデジタル放送受信装置の概略の内部構成を示すブロック図である。本実施の形態に係るデジタル放送受信装置の内部構成は、実施の形態１５とほぼ同じであるが以下の点が異なる。本実施の形態では、複数のデマルチプレクス部、例えば第１及び第２のデマルチプレクス部２、１０４が設けられている。また本実施の形態では、受信不可検知部６は、実施の形態１５で受け取ることができる情報の他、第２のデマルチプレクス部１０４から出力される、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の内、少なくとも１つを受信することができる。なお、第１及び第２のチューナ部１００、１０２のいずれか、または両方については、本受信装置を移動体用として使用する場合等では、複数のアンテナ出力を複数のチューナ部でそれぞれ受信するダイバーシティ構成のものであってもよい。一方、本受信装置を家庭用の固定受信機として使用する場合等では、第１及び第２のチューナ部１００、１０２はそれぞれ一つのアンテナ出力を一つのチューナ部で受信するものであってもよい。
【０２０２】
本実施の形態に係るデジタル放送受信装置の動作は、基本的に実施の形態１５の動作とほぼ同じであるが、以下の点が異なる。本実施の形態では、まず図２０のステップＳ１０１の動作が、第２のチューナ部１０２から出力される受信レベル情報、第２の復調部１０３から出力される受信Ｃ／Ｎ情報、ＰＬＬロック情報、フレームロック情報、誤り率情報、第２のデマルチプレクス部１０４から出力されるＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを系列局記憶部８又は他の記憶部に記録する、という動作となる。また、ステップＳ１０２の動作が、受信レベル情報、受信Ｃ／Ｎ情報、ＰＬＬロック情報、フレームロック情報、誤り率情報、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを用いて優先度を算出するという動作となる。なお、図２０のフローチャートに示される動作は、受信レベル監視の為、常時実行される。
【０２０３】
なお、系列局記憶部８に、系列局のチャンネルだけではなくＭＦＮのチャンネルも記録し、図２０のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０２０４】
実施の形態１５のデジタル放送受信装置では、優先度を算出する際にＰＳＩ／ＳＩ情報を用いていないため、放送局Ａと異なる系列の放送局の優先度を高くしてしまう恐れがある。一方、本実施の形態のデジタル放送受信装置では、ＰＳＩ／ＳＩ情報を優先度算出に用いることができるため、放送局Ａと異なる系列の放送局の優先度を低くすることができる。よって、本実施の形態のデジタル放送受信装置では、実施の形態１５のデジタル放送受信装置と比較して、放送局Ａの受信状態が悪くなった場合に、放送局Ａと同一の放送局の中で受信状態の最も良い放送局を最初に選局する可能性が高くなる。
【０２０５】
実施の形態１９．
実施の形態１９に係るデジタル放送受信装置の内部構成は実施の形態１８と同じである。また、本実施の形態に係るデジタル放送受信の動作は基本的には実施の形態１６とほぼ同じであるが、以下の点が異なる。本実施の形態では、まず図２２のステップＳ１３２の動作が、第２のチューナ部１０２から出力される受信レベル情報、第２の復調部１０３から出力される受信Ｃ／Ｎ情報、ＰＬＬロック情報、フレームロック情報、誤り率情報、第２のデマルチプレクス部１０４から出力されるＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを系列局記憶部８又は他の記憶部に記録する、という動作となる。また、ステップＳ１３３の動作が、受信レベル情報、受信Ｃ／Ｎ情報、ＰＬＬロック情報、フレームロック情報、誤り率情報、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを用いて優先度を算出するという動作となる。なお、系列局記憶部８に系列局が記録されている場合、図２２のフローチャートに示される動作は、受信レベル監視の為、常時実行される。
【０２０６】
なお、系列局記憶部８に、系列局のチャンネルだけではなくＭＦＮのチャンネルも記録し、図２２のフローチャートで系列局のチャンネルだけではなくＭＦＮのチャンネルに対しても優先度を設定し、図２１のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０２０７】
実施の形態１６のデジタル放送受信装置では、優先度を算出する際にＰＳＩ／ＳＩ情報を用いていないため、放送局Ａと異なる系列の放送局の優先度を高くする恐れがある。一方、本実施の形態のデジタル放送受信装置では、ＰＳＩ／ＳＩ情報を優先度算出に用いることができるため、放送局Ａと異なる系列の放送局の優先度を低くすることができる。よって、本実施の形態のデジタル放送受信装置では、実施の形態１６のデジタル放送受信装置と比較して、放送局Ａの受信状態が悪くなった場合に、放送局Ａと同一の放送局の中で受信状態の最も良い放送局を最初に選局する可能性が高くなる。
【０２０８】
実施の形態２０．
図２８は、この発明の実施の形態２０に係るデジタル放送受信装置の概略の内部構成を示すブロック図である。本実施の形態に係るデジタル放送受信装置の内部構成は、実施の形態１７とほぼ同じであるが以下の点が異なる。本実施の形態では、複数のデマルチプレクス部、例えば第１及び第２のマルチプレクス部２、１０４が設けられている。また本実施の形態では、受信不可検知部６は、実施の形態１７で受け取ることができる情報の他、第２のデマルチプレクス部１０４から出力される、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の内、少なくとも１つを受信することができる。また本実施の形態では、デマルチプレクス部選択部１０７が設けられ、映像／音声デコード部３への入力信号を第１のデマルチプレクス部２からの信号にするか第２のデマルチプレクス部１０４からの信号にするか切り替えることができる。
【０２０９】
また、本実施の形態に係るデジタル放送受信の動作は、実施の形態１７とほぼ同じであるが、以下の点が異なる。本実施の形態では、まず図２４のステップＳ１４２の動作が、第２のチューナ部１０２から出力される受信レベル情報、第２の復調部１０３から出力される受信Ｃ／Ｎ情報、ＰＬＬロック情報、フレームロック情報、誤り率情報、第２のデマルチプレクス部１０４から出力される、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の内、少なくとも１つを系列局記憶部８又は他の記憶部に記録する、という動作となる。また、ステップＳ１４５の動作が、受信レベル情報、受信Ｃ／Ｎ情報、ＰＬＬロック情報、フレームロック情報、誤り率情報、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを用いて優先度を算出するという動作となる。また、ステップＳ１４７の動作が、受信レベル情報、受信Ｃ／Ｎ情報、ＰＬＬロック情報、フレームロック情報、誤り率情報、ＰＳＩ／ＳＩ情報、ＰＡＴが所定の時間間隔で到来しなかった場合の途絶通知、ＰＭＴが所定の時間間隔で到来しなかった場合の途絶通知、ＴＳにおいて１８８バイト毎に同期バイトが検出されない場合の同期はずれの通知、ＴＳのヘッダ中に存在する連続性カウンタ値の不連続を検出した際のパケット損失の通知の各種情報の内、少なくとも１つを用いて受信状態が良好か否かを判断する、という動作となる。また、視聴中の放送局（放送局Ａ）が受信できなくなった場合の動作は、映像／音声デコード部３への入力信号を第１のデマルチプレクス部２から第２のデマルチプレクス部１０４とするようデマルチプレクス部選択部１０７を操作する、という動作になる。
【０２１０】
即ち、映像／音声デコード部３が、第１及び第２のチューナ部１００、１０２の一方（例えば１００）からの出力信号の復調、誤り訂正を行う復調部（１０１）の出力を受けているデマルチプレクス部（２）の出力を受けている状態で、選局制御部７は、第１及び第２のチューナ部の他方(１０２)、及び該他方のチューナ部（１０２）の出力信号の復調、誤り訂正を行う復調部（１０３）、及び該復調部（１０３）の出力を受けるデマルチプレクス部（１０４）の信号のいずれかを用いて、系列局記憶部８に記録されている系列局に優先度をつけておき、第１及び第２のチューナ部の上記一方(１００)で選局した放送局が視聴不可となったとき、第１及び第２のチューナ部の上記他方（１０２)で選局している放送局が視聴可能である場合には、第１及び第２のチューナ部(１００，１０２)、並びに第１及び第２の復調部（１０１、１０３）、並びに第１及び第２のデマルチプレクス部（２、１０４）の役割が入れ替えられる。
【０２１１】
なお、系列局記憶部８に、系列局のチャンネルだけではなくＭＦＮのチャンネルも記録し、図２４のフローチャートで放送局Ａと同一系列のチャンネル及び放送局ＡとＭＦＮの関係にあるチャンネルの両者が系列局記憶部８に記録されている場合は、ＭＦＮのチャンネルを優先的に選局し、ＭＦＮのチャンネルが受信できない場合に系列局のチャンネルを選局してもよい。
【０２１２】
実施の形態１７のデジタル放送受信装置では、優先度を算出する際にＰＳＩ／ＳＩ情報を用いていないため、放送局Ａと異なる系列の放送局の優先度を高くするおそれがある。一方、本実施の形態のデジタル放送受信装置では、ＰＳＩ／ＳＩ情報を優先度算出に用いることができるため、放送局Ａと異なる系列の放送局の優先度を低くすることができる。よって、本実施のデジタル放送受信装置では、実施の形態１７のデジタル放送受信装置と比較して、放送局Ａと同一の放送局の中で受信状態の最も良い放送局を第２のチューナ部１０２で選局する可能性が高くなる。また、実施の形態１７のデジタル放送受信装置では、放送局Ａから放送局Ａと同一系列の放送局に切り替える際、第１のデマルチプレクス部２が放送局Ａと同一系列の放送局のＴＳを受信し始めてから、放送局Ａと同一系列の放送局のＴＳをデマルチプレクスするまでに時間がかかるため、放送局Ａと同一系列の放送局の映像と音声 (コンテンツ)を表示、出力するまでに時間がかかる。一方、本実施の形態のデジタル放送受信装置では、放送局Ａから放送局Ａと同一系列の放送局に切り替える際、映像／音声デコード部が受信する信号を第１のデマルチプレクス部２からの出力信号から第２のデマルチプレクス部１０４からの出力信号にデマルチプレクス部選択部１０７で切り替えるだけなので、デマルチプレクス部が放送局Ａと同一系列の放送局のＴＳを受信し始めてから、放送局Ａと同一系列の放送局のＴＳをデマルチプレクスするまでの時間をなくすことができる。よって、本実施の形態のデジタル放送受信装置は、実施の形態１７のデジタル放送受信装置と比較して、放送局Ａと同一系列の放送局の映像と音声
(コンテンツ)を表示、出力するまでにかかる時間を短くすることができる。
【図面の簡単な説明】
【０２１３】
【図１】この発明の実施の形態１に係るデジタル放送受信装置の概略の内部構成を示すブロック図である。
【図２】図１のデジタル放送受信装置における選局制御部７の選局動作の状態遷移図である。
【図３】図１のデジタル放送受信装置における選局制御部７の動作を示すフローチャートである。
【図４】図３の系列局サーチ・視聴のステップＳ１８の詳細を示すフロー図である。
【図５】地上デジタル放送におけるサービスＩＤのビット構成を示す図である。
【図６】地上デジタル放送におけるサービスＩＤの地域識別フィールドの分類を示す図である。
【図７】地上デジタル放送における地域識別フィールドの地域割り当て状況を示す図である。
【図８】この発明の実施の形態２に係るデジタル放送受信装置の概略の内部構成を示すブロック図である。
【図９】この発明の実施の形態３のデジタル放送受信装置における選局制御部７の選局動作の状態遷移図である。
【図１０】この発明の実施の形態４に係るデジタル放送受信装置の概略の内部構成を示すブロック図である。
【図１１】この発明の実施の形態４における選局制御部７の選局動作の状態遷移図である。
【図１２】この発明の実施の形態４における選局制御部７の動作フロー図である。
【図１３】この発明の実施の形態４における選局制御部７の動作フロー図である。
【図１４】図１３の系列局サーチ・視聴のステップＳ４８の詳細を示すフロー図である。
【図１５】この発明の実施の形態５に係るデジタル放送受信装置の概略の内部構成を示すブロック図である。
【図１６】この発明の実施の形態６における選局制御部７の選局動作の状態遷移図である。
【図１７】（ａ）及び（ｂ）は、この発明の実施の形態１０における系列局が受信出来た場合（新規ＴＳが検出された場合）の次回の選局の優先順位決定アルゴリズムを示す図である。
【図１８】（ａ）及び（ｂ）は、この発明の実施の形態１０における系列局記憶部８内に保存された系列局またはＭＦＮのＴＳが受信できた場合の次回の選局の優先順位決定アルゴリズムを示す図である。
【図１９】この発明の実施の形態１２、１３に係るデジタル放送受信装置の概略の内部構成を示すブロック図である。
【図２０】この発明の実施の形態１２に係るデジタル放送受信装置において、図１９の選局制御部７が第２のチューナ部１０２を用いて行なう動作を示すフローチャートである。
【図２１】この発明の実施の形態１２に係るデジタル放送受信装置において、図１９の第１のチューナ部１００で選局していたチャンネルが受信不可になった場合に、選局制御部７が第１のチューナ部１００を用いて行なう動作を示すフローチャートである。
【図２２】この発明の実施の形態１３に係るデジタル放送受信装置において、図１９の選局制御部７が第２のチューナ部１０２を用いて行なう動作を示すフローチャートである。
【図２３】この発明の実施の形態１４に係るデジタル放送受信装置の概略の内部構成を示すブロック図である。
【図２４】この発明の実施の形態１４に係るデジタル放送受信装置において、図２３の選局制御部７が第２のチューナ部１０２を用いて行なう動作を示すフローチャートである。
【図２５】この発明の実施の形態１５、１６に係るデジタル放送受信装置の概略の内部構成を示すブロック図である。
【図２６】この発明の実施の形態１７に係るデジタル放送受信装置の概略の内部構成を示すブロック図である。
【図２７】この発明の実施の形態１８、１９に係るデジタル放送受信装置の概略の内部構成を示すブロック図である。
【図２８】この発明の実施の形態２０に係るデジタル放送受信装置の概略の内部構成を示すブロック図である。
【符号の説明】
【０２１４】
１  チューナ部、  ２  デマルチプレクス部、  ３  映像／音声デコード部、  ４  映像表示部、  ５  音声出力部、  ６  受信不可検出部、  ７  選局制御部、  ８  系列局記憶部、  ９  位置検出部、  ５１  「放送局Ａ視聴」状態、  ５２  「系列局サーチ」状態、  ５３  「放送局Ｂ視聴」状態、  ６１  「番組Ａ視聴」状態、  ６２  「番組Ｂ視聴」状態、  ７１  「放送局Ａの弱階層視聴」状態、  ７２  「放送局Ａの強階層視聴」状態、  ７３  「放送局Ｂの弱階層視聴」状態、  ７４  「放送局Ｂの強階層視聴」状態、  ７５  「系列局サーチ」状態、  ８１  「放送局Ａの弱階層視聴」状態、  ８２  「放送局Ａの強階層視聴」状態、  ８３  「放送局Ｂの弱階層視聴」状態、  ８４  「放送局Ｂの強階層視聴」状態。
【図１】
2008263504.tif 000003
【図２】
2008263504.tif 000004
【図３】
2008263504.tif 000005
【図４】
2008263504.tif 000006
【図５】
2008263504.tif 000007
【図６】
2008263504.tif 000008
【図７】
2008263504.tif 000009
【図８】
2008263504.tif 000010
【図９】
2008263504.tif 000011
【図１０】
2008263504.tif 000012
【図１１】
2008263504.tif 000013
【図１２】
2008263504.tif 000014
【図１３】
2008263504.tif 000015
【図１４】
2008263504.tif 000016
【図１５】
2008263504.tif 000017
【図１６】
2008263504.tif 000018
【図１７】
2008263504.tif 000019
【図１８】
2008263504.tif 000020
【図１９】
2008263504.tif 000021
【図２０】
2008263504.tif 000022
【図２１】
2008263504.tif 000023
【図２２】
2008263504.tif 000024
【図２３】
2008263504.tif 000025
【図２４】
2008263504.tif 000026
【図２５】
2008263504.tif 000027
【図２６】
2008263504.tif 000028
【図２７】
2008263504.tif 000029
【図２８】
2008263504.tif 000030